(57)【特許請求の範囲】
【請求項１】
遮光性を有する第１のディスク、前記第１のディスクより外径が小さく遮光性を有する第２のディスク、前記第１のディスクと外径が略同一であり、中心部に前記第２のディスクと半径が略同一であり遮光性を有するデータエリアを有し前記データエリア以外の部分で透光性を有する小データエリアディスク、及び、前記第１のディスクと外径が略同一であり、中心部に前記第２のディスクと半径が略同一である中空穴が形成され、遮光性を有する中空ディスクを含むディスクを挿排するディスク挿排部と、前記ディスクが接触することによって前記ディスク挿排部の幅方向の一端部を前記ディスクが通過することを検出する端部通過時接触検出手段と、前記ディスクに光が遮断されることによって前記ディスクが通過することを検出する光検出手段としての接触検出時光検出手段と、前記ディスクを搬送して挿排する搬送手段と、前記搬送手段による前記ディスクの挿排動作を制御する制御手段とを備え、前記接触検出時光検出手段は、前記端部通過時接触検出手段が前記小データエリアディスクの通過を検出するときに前記小データエリアディスクの通過を検出し、前記端部通過時接触検出手段が前記中空ディスクの通過を検出するときに前記中空ディスクの通過を検出しない位置であり、かつ、前記ディスク挿排部の幅方向の一端部を通過する前記第２のディスクの通過が前記端部通過時接触検出手段に検出されるときに、前記第２のディスクの通過を検出しない位置に配置され、前記制御手段は、前記端部通過時接触検出手段が前記ディスクを検出するときに前記接触検出時光検出手段が前記ディスクを検出しない場合、前記搬送手段に前記ディスクを排出させることを特徴とするディスク挿排装置。
【請求項２】
前記ディスクに光が遮断されることによって通過する前記ディスクを検出する前記光検出手段としての通過ディスク光検出手段を備え、
前記接触検出時光検出手段及び前記通過ディスク光検出手段は、前記第１のディスクと前記小データエリアディスクと前記中空ディスクとが、前記ディスク挿排部に挿入されて、最初に前記通過ディスク光検出手段にディスクの通過を検出されるときに前記接触検出時光検出手段にディスクの通過を検出され、かつ、前記ディスク挿排部の幅方向の一端部を通過する前記第２のディスクが、前記ディスク挿排部に挿入されて、最初に前記通過ディスク光検出手段にディスクの通過を検出されるときに前記接触検出時光検出手段にディスクの通過を検出されない位置に配置され、前記制御手段は、前記通過ディスク光検出手段が前記ディスク挿排部に挿入される前記ディスクの通過を最初に検出するときに前記接触検出時光検出手段が前記ディスクの通過を検出しない場合、前記搬送手段に前記ディスクを排出させるように、前記搬送手段による前記ディスクの挿排動作を制御することを特徴とする請求項１記載のディスク挿排装置。
【請求項３】
前記ディスクに光が遮断されることによって通過する前記ディスクを検出する前記光検出手段としてのディスク通過時光検出手段と、前記ディスクに光が遮断されることによって通過する前記ディスクを検出する前記光検出手段としての通過ディスク光検出手段とを備え、
前記ディスク挿排部の幅は前記第１のディスクの外径と長さが略同一であり、
前記ディスク通過時光検出手段及び前記通過ディスク光検出手段は、前記第１のディスク及び前記中空ディスクが、前記ディスク挿排部に挿入されて最初に前記通過ディスク光検出手段にディスクの通過を検出されるときに前記ディスク通過時光検出手段にディスクの通過を検出され、前記小データエリアディスク、前記ディスク挿排部の幅方向の一端部を通過する前記第２のディスク、及び、前記ディスク挿排部の幅方向の中央部を通過する前記第２のディスクが、前記ディスク挿排部に挿入されて最初に前記通過ディスク光検出手段にディスクの通過を検出されるときにディスク通過時光検出手段にディスクの通過を検出されず、前記ディスク挿排部の幅方向の他端部を通過する第２のディスクが、ディスク挿排部に挿入されて最初にディスク通過時光検出手段にディスクの通過を検出されるときに通過ディスク光検出手段にディスクの通過を検出されない位置に配置され、前記制御手段は、前記ディスク通過時光検出手段が前記ディスク挿排部に挿入される前記ディスクの通過を最初に検出するときに前記通過ディスク光検出手段が前記ディスクの通過を検出しない場合、前記搬送手段に前記ディスクを排出させるように、前記搬送手段による前記ディスクの挿排動作を制御することを特徴とする請求項１に記載のディスク挿排装置。
【請求項４】
前記ディスクに光が遮断されることによって通過する前記ディスクを検出する前記光検出手段としてのディスク通過時光検出手段と、前記ディスクの接触によって通過する前記ディスクを検出するディスク通過時接触検出手段とを備え、
前記ディスク挿排部の幅は前記第１のディスクの外径と長さが略同一であり、
前記ディスク通過時光検出手段及び前記ディスク通過時接触検出手段は、前記第１のディスク及び前記中空ディスクが前記ディスク挿排部に挿入されて最初にディスク通過時接触検出手段にディスクの通過を検出されるときに前記ディスク通過時光検出手段にディスクの通過を検出され、前記小データエリアディスク、前記ディスク挿排部の幅方向の一端部を通過する前記第２のディスク、及び、前記ディスク挿排部の幅方向の中央部を通過する前記第２のディスクが前記ディスク挿排部に挿入されて最初にディスク通過時接触検出手段にディスクの通過を検出されるときに前記ディスク通過時光検出手段にディスクの通過を検出されず、前記ディスク挿排部の幅方向の他端部を通過する前記第２のディスクが、前記ディスク挿排部に挿入されて最初に前記ディスク通過時光検出手段にディスクの通過を検出されるときに前記ディスク通過時接触検出手段にディスクの通過を検出されない位置に配置され、前記制御手段は、前記ディスク通過時光検出手段が前記ディスク挿排部に挿入される前記ディスクの通過を最初に検出するときに前記ディスク通過時接触検出手段が前記ディスクの通過を検出しない場合、前記搬送手段に前記ディスクを排出させるように、前記搬送手段による前記ディスクの挿排動作を制御することを特徴とする請求項１記載のディスク挿排装置。
【請求項５】
前記ディスクに光が遮断されることによって通過する前記ディスクを検出し、前記ディスク挿排部を通過する前記第２のディスクのうち前記接触検出時光検出手段によって検出されない第２のディスクを少なくとも検出する位置に配置される前記光検出手段としての非検出ディスク光検出手段と、前記ディスクに光が遮断されることによって通過する前記ディスクを検出する前記光検出手段としてのディスク通過時光検出手段と、前記ディスクの接触によって通過する前記ディスクを検出するディスク通過時接触検出手段とを備え、
前記ディスク挿排部の幅は前記第１のディスクの外径と長さが略同一であり、
前記接触検出時光検出手段、前記非検出ディスク光検出手段、前記ディスク通過時光検出手段及び前記ディスク通過時接触検出手段は、前記第１のディスク、前記小データエリアディスク、前記ディスク挿排部の幅方向の一端部を通過する前記第２のディスク、前記ディスク挿排部の幅方向の他端部を通過する前記第２のディスク、及び、前記中空ディスクが、前記ディスク挿排部に挿入されて、前記接触検出時光検出手段及び前記非検出ディスク光検出手段の少なくとも一方にディスクの通過を検出されて、前記接触検出時光検出手段及び前記非検出ディスク光検出手段の双方にディスクの通過を検出されなくなる以前に、前記ディスク通過時光検出手段及び前記ディスク通過時接触検出手段の少なくとも一方にディスクの通過を検出され、前記ディスク挿排部の幅方向の中央部を通過する前記第２のディスクが、前記ディスク挿排部に挿入されて、前記接触検出時光検出手段及び前記非検出ディスク光検出手段の少なくとも一方にディスクの通過を検出されて、前記接触検出時光検出手段及び前記非検出ディスク光検出手段の双方にディスクの通過を検出されなくなる以前に、前記ディスク通過時光検出手段及び前記ディスク通過時接触検出手段の双方にディスクの通過を検出されない位置に配置され、前記制御手段は、前記接触検出時光検出手段及び前記非検出ディスク光検出手段の少なくとも一方が前記ディスクの通過を検出して、前記接触検出時光検出手段及び前記非検出ディスク光検出手段の双方がディスクの通過を検出しなくなる以前に、前記ディスク通過時接触検出手段及び前記ディスク通過時光検出手段の双方が前記ディスクの通過を検出しない場合、前記搬送手段に前記ディスクを排出させるように、前記搬送手段による前記ディスクの挿排動作を制御することを特徴とする請求項３記載のディスク挿排装置。
【請求項６】
前記ディスクに光が遮断されることによって通過する前記ディスクを検出し、前記ディスク挿排部を通過する前記第２のディスクのうち前記接触検出時光検出手段によって検出されない第２のディスクを少なくとも検出する位置に配置される前記光検出手段としての非検出ディスク光検出手段と、前記ディスクの接触によって通過する前記ディスクを検出するディスク通過時接触検出手段とを備え、
前記接触検出時光検出手段、前記非検出ディスク光検出手段、前記ディスク通過時光検出手段及び前記ディスク通過時接触検出手段は、前記第１のディスク、前記小データエリアディスク、前記ディスク挿排部の幅方向の一端部を通過する前記第２のディスク、前記ディスク挿排部の幅方向の他端部を通過する前記第２のディスク、及び、前記中空ディスクが、前記ディスク挿排部に挿入されて、前記接触検出時光検出手段及び前記非検出ディスク光検出手段の少なくとも一方にディスクの通過を検出されて、前記接触検出時光検出手段及び前記非検出ディスク光検出手段の双方にディスクの通過を検出されなくなる以前に、前記ディスク通過時光検出手段及び前記ディスク通過時接触検出手段の少なくとも一方にディスクの通過を検出され、前記ディスク挿排部の幅方向の中央部を通過する前記第２のディスクが、前記ディスク挿排部に挿入されて、前記接触検出時光検出手段及び前記非検出ディスク光検出手段の少なくとも一方にディスクの通過を検出されて、前記接触検出時光検出手段及び前記非検出ディスク光検出手段の双方にディスクの通過を検出されなくなる以前に、前記ディスク通過時光検出手段及び前記ディスク通過時接触検出手段の双方にディスクの通過を検出されない位置に配置され、前記制御手段は、前記接触検出時光検出手段及び前記非検出ディスク光検出手段の少なくとも一方が前記ディスクの通過を検出して、前記接触検出時光検出手段及び前記非検出ディスク光検出手段の双方がディスクの通過を検出しなくなる以前に、前記ディスク通過時接触検出手段及び前記ディスク通過時光検出手段の双方が前記ディスクの通過を検出しない場合、前記搬送手段に前記ディスクを排出させるように、前記搬送手段による前記ディスクの挿排動作を制御することを特徴とする請求項３に記載のディスク挿排装置。
【請求項７】
前記ディスクに光が遮断されることによって通過する前記ディスクを検出し、前記ディスク挿排部を通過する前記第２のディスクのうち前記接触検出時光検出手段によって検出されない第２のディスクを少なくとも検出する位置に配置される前記光検出手段としての非検出ディスク光検出手段を備え、
前記接触検出時光検出手段、前記非検出ディスク光検出手段、前記ディスク通過時光検出手段及び前記ディスク通過時接触検出手段は、前記第１のディスク、前記小データエリアディスク、前記ディスク挿排部の幅方向の一端部を通過する前記第２のディスク、前記ディスク挿排部の幅方向の他端部を通過する前記第２のディスク、及び、前記中空ディスクが、前記ディスク挿排部に挿入されて、前記接触検出時光検出手段及び前記非検出ディスク光検出手段の少なくとも一方にディスクの通過を検出されて、前記接触検出時光検出手段及び前記非検出ディスク光検出手段の双方にディスクの通過を検出されなくなる以前に、前記ディスク通過時光検出手段及び前記ディスク通過時接触検出手段の少なくとも一方にディスクの通過を検出され、前記ディスク挿排部の幅方向の中央部を通過する前記第２のディスクが、前記ディスク挿排部に挿入されて、前記接触検出時光検出手段及び前記非検出ディスク光検出手段の少なくとも一方にディスクの通過を検出されて、前記接触検出時光検出手段及び前記非検出ディスク光検出手段の双方にディスクの通過を検出されなくなる以前に、前記ディスク通過時光検出手段及び前記ディスク通過時接触検出手段の双方にディスクの通過を検出されない位置に配置され、前記制御手段は、前記接触検出時光検出手段及び前記非検出ディスク光検出手段の少なくとも一方が前記ディスクの通過を検出して、前記接触検出時光検出手段及び前記非検出ディスク光検出手段の双方がディスクの通過を検出しなくなる以前に、前記ディスク通過時接触検出手段及び前記ディスク通過時光検出手段の双方が前記ディスクの通過を検出しない場合、前記搬送手段に前記ディスクを排出させるように、前記搬送手段による前記ディスクの挿排動作を制御することを特徴とする請求項４に記載のディスク挿排装置。
【請求項８】
前記ディスクに光が遮断されることによって通過する前記ディスクを検出する前記光検出手段としてのディスク通過時光検出手段と、前記ディスクの接触によって通過する前記ディスクを検出するディスク通過時接触検出手段とを備え、
前記接触検出時光検出手段は、前記小データエリアディスクが前記端部通過時接触検出手段にディスクの通過を検出されるときに前記小データエリアディスクの通過を検出し、前記ディスク挿排部の幅方向の一端部を通過する前記第２のディスクが前記端部通過時接触検出手段にディスクの通過を検出されるときに前記第２のディスクを検出せず、前記中空ディスクが前記端部通過時接触検出手段にディスクの通過を検出されるときに前記中空ディスクの通過を検出しない位置に配置され、前記制御手段は、前記ディスク通過時光検出手段が前記ディスク挿排部に挿入される前記ディスクの通過を最初に検出するときに前記ディスク通過時接触検出手段が前記ディスクの通過を検出し、前記端部通過時接触検出手段が前記ディスクの通過を検出するときに前記接触検出時光検出手段が前記ディスクの通過を検出しない場合、前記搬送手段に前記ディスクを排出させるように、前記搬送手段による前記ディスクの挿排動作を制御することを特徴とする請求項１記載のディスク挿排装置。
【請求項９】
前記受光素子非検出ディスク光検出手段、前記接触検出時光検出手段、前記通過ディスク光検出手段、前記ディスク通過時光検出手段は、前記端部通過時接触検出手段にディスクの通過が検出されるときの、前記第１のディスク、前記小データエリアディスク、前記第２のディスク、前記中空ディスクを、前記受光素子非検出ディスク光検出手段、前記接触検出時光検出手段、前記通過ディスク光検出手段、前記ディスク通過時光検出手段の何れかがディスクの通過を検出する位置に配置され、前記端部通過時接触検出手段が前記ディスクの通過を検出するときに前記光検出手段が前記ディスクの通過を検出しない場合、前記搬送手段に前記ディスクを排出させるように、前記搬送手段による前記ディスクの挿排動作を制御する制御手段とを備えることを特徴とする請求項５ないし請求項７の何れかに記載のディスク挿排装置。
【請求項１０】
前記通過ディスク光検出手段が前記ディスク挿排部に挿入される前記ディスクの通過を最初に検出するときに前記接触検出時光検出手段が前記ディスクの通過を検出しない場合、前記搬送手段に前記ディスクを挿入させるように、前記搬送手段による前記ディスクの挿排動作を制御する制御手段とを備えることを特徴とする請求項２に記載のディスク挿排装置。
【請求項１１】
前記ディスク通過時光検出手段が前記ディスク挿排部に挿入される前記ディスクの通過を最初に検出するときに前記通過ディスク光検出手段が前記ディスクの通過を検出しない場合、前記搬送手段に前記ディスクを挿入させるように、前記搬送手段による前記ディスクの挿排動作を制御する制御手段とを備えることを特徴とする請求項３に記載のディスク挿排装置。
【請求項１２】
前記ディスク通過時光検出手段が前記ディスク挿排部に挿入される前記ディスクの通過を最初に検出するときに前記ディスク通過時接触検出手段が前記ディスクの通過を検出しない場合、前記搬送手段に前記ディスクを挿入させるように、前記搬送手段による前記ディスクの挿排動作を制御する制御手段とを備えることを特徴とする請求項４に記載のディスク挿排装置。
【請求項１３】
前記接触検出時光検出手段及び前記非検出ディスク光検出手段の少なくとも一方が前記ディスクの通過を検出して、前記接触検出時光検出手段及び前記非検出ディスク光検出手段の双方がディスクの通過を検出しなくなる以前に、前記ディスク通過時接触検出手段及び前記ディスク通過時光検出手段の双方が前記ディスクの通過を検出しない場合、前記搬送手段に前記ディスクを挿入させるように、前記搬送手段による前記ディスクの挿排動作を制御する制御手段とを備えることを特徴とする請求項６ないし請求項８の何れかに記載のディスク挿排装置。
【請求項１４】
前記接触検出時光検出手段より前記ディスクの挿入方向下流側に配置され、前記ディスクを搬送して挿排する搬送手段と、
前記接触検出時光検出手段の検出結果に基づいて、前記搬送手段による前記ディスクの挿入動作を制御する制御手段とを備えることを特徴とする請求項１ないし請求項９の何れかに記載のディスク挿排装置。
【請求項１５】
前記接触検出時光検出手段は、前記ディスク挿排部に挿入され、前記ディスク挿排部の幅方向の他端部を通過する前記第２のディスクが前記搬送手段に接触する前に、前記第２のディスクの通過を検出する位置に配置されることを特徴とする請求項１４に記載のディスク挿排装置。
【請求項１６】
前記非検出ディスク光検出手段より前記ディスクの挿入方向下流側に配置され、前記ディスクを搬送して挿排する搬送手段と、
前記非検出ディスク光検出手段の検出結果に基づいて、前記搬送手段による前記ディスクの挿入動作を制御する制御手段とを備えることを特徴とする請求項５または請求項６に記載のディスク挿排装置。
【請求項１７】
前記非検出ディスク光検出手段は、前記ディスク挿排部に挿入された前記第１のディスクが前記搬送手段に接触する前に、前記第１のディスクの通過を検出する位置に配置されることを特徴とする請求項１６に記載のディスク挿排装置。
【請求項１８】
前記非検出ディスク光検出手段は、前記ディスク挿排部に挿入され、前記ディスク挿排部の幅方向の中央部を通過する前記第２のディスクが前記搬送手段に接触する前に、前記第２のディスクの通過を検出する位置に配置されることを特徴とする請求項１６または請求項１７に記載のディスク挿排装置。
【請求項１９】
前記非検出ディスク光検出手段は、前記ディスク挿排部に挿入され、前記ディスク挿排部の幅方向の一端部を通過する前記第２のディスクが前記搬送手段に接触する前に、前記第２のディスクの通過を検出する位置に配置されることを特徴とする請求項１６ないし請求項１８の何れかに記載のディスク挿排装置。
【請求項２０】
前記ディスク通過時接触検出手段より前記ディスクの挿入方向下流側に配置され、前記ディスクを搬送して挿排する搬送手段と、
前記ディスク通過時接触検出手段の検出結果に基づいて、前記搬送手段による前記ディスクの挿入動作を制御する制御手段とを備えることを特徴とする請求項４ないし請求項８の何れかに記載のディスク挿排装置。
【請求項２１】
前記端部通過時接触検出手段及び前記接触検出時光検出手段より前記ディスクの挿入方向下流側に配置され、前記ディスクを搬送して挿排する搬送手段と、
前記端部通過時接触検出手段が前記ディスクの通過を検出するときの前記接触検出時光検出手段の検出結果に基づいて、前記搬送手段による前記ディスクの挿排動作を制御する制御手段を備えることを特徴とする請求項１ないし請求項９の何れかに記載のディスク挿排装置。
【請求項２２】
前記ディスクを挿排し、挿入中の前記ディスクとの接触が外れる前に前記ディスクの識別が終了する位置に配置される搬送手段と、
前記搬送手段による前記ディスクの挿排動作を制御する制御手段とを備えることを特徴とする請求項１ないし請求項９の何れかに記載のディスク挿排装置。
【請求項２３】
前記通過ディスク光検出手段は、前記第１のディスクが前記ディスク挿排部から排出されるとき、前記第１のディスクを検出した後、前記搬送手段に接触中の前記第１のディスクの通過を検出しなくなる位置に配置されることを特徴とする請求項２または請求項３に記載のディスク挿排装置。
【請求項２４】
前記通過ディスク光検出手段は、前記小データエリアディスクが前記ディスク挿排部から排出されるとき、前記小データエリアディスクの通過を検出した後、前記搬送手段に接触中の前記小データエリアディスクの通過を検出しなくなる位置に配置されることを特徴とする請求項２または請求項３に記載のディスク挿排装置。
【請求項２５】
前記通過ディスク光検出手段は、前記ディスク挿排部の幅方向の中央部を通過する前記第２のディスクが前記ディスク挿排部から排出されるとき、前記第２のディスクの通過を検出した後、前記搬送手段に接触中の前記第２のディスクを検出しなくなる位置に配置されることを特徴とする請求項２または請求項３に記載のディスク挿排装置。
【請求項２６】
前記通過ディスク光検出手段は、前記ディスク挿排部の幅方向の一端部を通過する前記第２のディスクが前記ディスク挿排部から排出されるとき、前記第２のディスクの通過を検出した後、前記搬送手段に接触中の前記第２のディスクを検出しなくなる位置に配置されることを特徴とする請求項２または請求項３に記載のディスク挿排装置。
【請求項２７】
前記ディスク通過時光検出手段は、前記ディスク挿排部の幅方向の他端部を通過する前記第２のディスクが前記ディスク挿排部から排出されるとき、前記第２のディスクの通過を検出した後、前記搬送手段に接触中の前記第２のディスクを検出しなくなる位置に配置されることを特徴とする請求項３ないし請求項８の何れかに記載のディスク挿排装置。
【請求項２８】
前記ディスク通過時接触検出手段は、前記第１のディスクと外径が略同一であり、全体が透明な透明ディスクが前記ディスク挿排部から排出されるとき、前記透明ディスクの通過を検出した後、前記搬送手段に接触中の前記透明ディスクの通過を検出しなくなる位置に配置されることを特徴とする請求項５ないし請求項８の何れかに記載のディスク挿排装置。
【請求項２９】
前記制御手段は、前記搬送手段に前記ディスクを挿入させているとき、前記端部通過時接触検出手段が前記ディスクを複数回検出する場合、前記搬送手段による前記ディスクの挿入動作を停止させることを特徴とする請求項１ないし請求項９の何れかに記載のディスク挿排装置。
【請求項３０】
請求項１ないし請求項９の何れかに記載のディスク識別装置と、
前記ディスクを搬送して挿排する搬送手段と、
前記搬送手段による前記ディスクの挿排動作を制御する制御手段とを備え、
前記制御手段は、前記搬送手段に前記ディスクを挿入させているとき、前記端部通過時接触検出手段が前記ディスクの通過を複数回検出する場合、前記搬送手段に前記ディスクを排出させることを特徴とするディスク挿排装置。
【請求項３１】
前記ディスクと接触することによって、複数枚以上が重なった前記ディスクの通過を規制する規制部を前記ディスク挿排部の内部に備えることを特徴とする請求項１０ないし請求項３０の何れかに記載のディスク挿排装置。
【請求項３２】
前記搬送手段と接触することによって、前記搬送手段が前記ディスク挿排部を通過する前記ディスクの厚み方向に移動することを制限する制限手段を備えることを特徴とする請求項１０ないし請求項３１までの何れかに記載のディスク挿排装置。
【請求項３３】
前記制御手段は、前記搬送手段による前記ディスクの挿入開始から一定時間が経過した後、前記搬送手段に前記ディスクを排出させることを特徴とする請求項３１または請求項３２に記載のディスク挿排装置。
【請求項３４】
前記第１のディスクの直径が１２ｃｍであり、前記第２のディスクの直径が８ｃｍであることを特徴とする請求項１ないし請求項３３の何れかに記載のディスク挿排装置。
【請求項３５】
請求項１０ないし請求項３４の何れかに記載のディスク挿排装置を備えることを特徴とするディスク記録再生装置。
【請求項３６】
前記ディスクを回転する回転手段と、
識別された前記ディスクの外径に基づいて、前記回転手段の回転力を制御する回転力制御手段とを備えることを特徴とする請求項３５に記載のディスク記録再生装置。
【発明の詳細な説明】
【０００１】
【発明の属する技術分野】
本発明は、ディスクの種類を識別するディスク識別装置、ディスクを挿排するディスク挿排装置、及び、ディスクに対して記録又は再生を行うディスク記録再生装置に関するものである。
【０００２】
【従来の技術】
従来から、ディスクの種類を識別するディスク識別装置を備えた車載用のオーディオ機器などのディスク記録再生装置では、ディスクや、アダプタとの接触によって駆動されるレバーを使用し、そのレバーで光検出手段への光を遮ることで、ローディング開始及びローディング完了の制御や、アダプタのスリットによる誤検出の防止を行っていた。
【０００３】
従来のディスク識別装置の例として、以下に述べるように、特開２０００−１６３８４０号公報に開示されたディスク識別装置が知られている。
【０００４】
図２６及び図２７において、図示していないディスクチェンジャ装置の筐体には下基板９１１が固定されており、この下基板９１１には上基板９１２が回動可能に支持されている。なお、上基板９１２と下基板９１１との間がディスク挿入口９１０となる。
【０００５】
ここで、下基板９１１には、ディスク挿入口９１０の幅方向の図２７における左端部側に配置された受光素子９１３Ａと、ディスク挿入口９１０の幅方向のほぼ中央に配置された受光素子９１３Ｂとが取り付けられており、上基板９１２には、小孔９１４Ａ及び小孔９１４Ｂが形成されるとともに、ディスク挿入口９１０とは反対側に振動板（レバー）９１５がディスク挿入口９１０の幅方向に摺動自在に保持されている。
【０００６】
また、摺動板９１５には、小孔９１６Ａと、大孔９１６Ｂとが形成されているとともに、上基板９１２にも係止されているバネ９１７が係止されており、更に、上基板９１２の切欠部を介してディスク挿入口９１０内に突出するピン９１８が植設されている。なお、摺動板９１５はバネ９１７の弾性力により矢印９１５ａの示す方向に付勢されている。
【０００７】
また、ディスクチェンジャ装置の筐体には、受光素子９１３Ａに対向する位置に発光素子９１９Ａが取り付けられており、受光素子９１３Ｂに対向する位置に発光素子９１９Ｂが取り付けられている。
【０００８】
以上に述べた構成によって、光検出手段としての受光素子９１３Ａや受光素子９１３Ｂから構成されるディスク識別装置は、受光素子９１３Ａや受光素子９１３Ｂからの出力によってディスクの種類を識別することができる。
【０００９】
例えば、ディスク挿入口９１０に外径が１２ｃｍであるディスク（以下、通常１２ｃｍディスクという。）９２０（図２６及び図２８参照）や、外径が１２ｃｍであり、中心部に外径が８ｃｍのディスク（以下、８ｃｍディスクという。）を保持することができ、スリット９２４（図２９参照）を有するアダプタ９２１（図２９参照）、又は、アダプタ９２１に保持された８ｃｍディスクが挿入された際や、ディスク挿入口９１０の幅方向の左側から８ｃｍディスクが挿入された際には、挿入されたディスクやアダプタによってピン９１８が駆動されて摺動板９１５は図２６に示す位置から図２８に示す位置まで矢印９１５ｂの示す方向に摺動する。したがって、上基板９１２に形成された小孔９１４Ａが図２８に示すように摺動板９１５によって塞がれるので、受光素子９１３Ａは発光素子９１９Ａからの光を受けることができない。また、上基板９１２に形成された小孔９１４Ｂは、摺動板９１５に形成された大孔９１６Ｂの働きにより摺動板９１５によって塞がれることがないので、受光素子９１３Ｂはディスクやアダプタによって塞がれない限り発光素子９１９Ｂからの光を受けることができる。
【００１０】
一方、ディスク挿入口９１０の幅方向の中央や右側から８ｃｍディスクが挿入された際には、挿入されたディスクによってピン９１８が駆動されることがないので、上基板９１２に形成された小孔９１４Ａや小孔９１４Ｂは摺動板９１５によって塞がれることがなく、受光素子９１３Ａは常に発光素子９１９Ａからの光を受けることできる。また、受光素子９１３Ｂは、ディスクやアダプタによって塞がれない限り発光素子９１９Ｂからの光を受けることができる。
【００１１】
したがって、図２６及び図２８に示すようなディスク識別装置を備えたオーディオ機器は、受光素子９１３Ａ及び受光素子９１３Ｂからの出力によってディスクの種類を識別することができ、１２ｃｍディスク９２０及びアダプタ９２１に保持された８ｃｍディスクが挿入された場合には、ローディングを継続して図示していないディスク収納部まで搬送するのに対し、８ｃｍディスクや、８ｃｍディスクが保持されていないアダプタ９２１が挿入された場合には排出していた。
【００１２】
【発明が解決しようとする課題】
しかしながら、上記従来のディスク識別装置においては、中心部に通常のデータエリアを有する１２ｃｍディスク（以下、通常１２ｃｍディスクという。）より小さい８ｃｍのみのデータエリアを有する１２ｃｍディスク（以下、小データエリア１２ｃｍディスクという。）は、ディスク挿入口９１０の幅方向の中央から挿入された８ｃｍディスクと同様に取り扱われる可能性もあるという問題があった。
【００１３】
そこで、本発明は、小データエリア１２ｃｍディスクを通常１２ｃｍディスクと同様に識別するディスク識別装置と、このディスク識別装置を備えたディスク挿排装置及びディスク記録再生装置とを提供することを目的とする。
【００１４】
【課題を解決するための手段】
上記課題を解決するために、本発明のディスク識別装置は、遮光性を有する第１のディスク、前記第１のディスクより外径が小さく遮光性を有する第２のディスク、前記第１のディスクと外径が略同一であり、中心部に前記第２のディスクと半径が略同一であり遮光性を有するデータエリアを有し、前記データエリア以外の部分で透光性を有する小データエリアディスク、及び、前記第１のディスクと外径が略同一であり、中心部に前記第２のディスクと半径が略同一である中空穴が形成され、遮光性を有する中空ディスクを含むディスクを挿排するディスク挿排部と、前記ディスクの接触によって前記ディスク挿排部の幅方向の一端部を通過する前記ディスクを検出する端部通過時接触検出手段と、前記ディスクに光が遮断されることによって通過する前記ディスクを検出する光検出手段としての接触検出時光検出手段と、前記端部通過時接触検出手段が前記ディスクを検出するときの前記接触検出時光検出手段の検出結果に基づいて、前記ディスクの種類を識別する識別手段とを備え、前記接触検出時光検出手段は、前記端部通過時接触検出手段が前記小データエリアディスクを検出するときに前記小データエリアディスクを検出し、前記端部通過時接触検出手段が前記中空ディスクを検出するときに前記中空ディスクを検出しない位置に配置される構成を有している。
【００１５】
この構成により、本発明のディスク識別装置は、ディスク挿排部に挿入されたディスクが第１のディスク、小データエリアディスク、中空ディスク及び透明ディスクの何れかである場合、ディスク挿排部に挿入されたディスクが第１のディスク又は小データエリアディスクであるか、或いは、中空ディスク又は透明ディスクであるかを識別することができる。換言すると、本発明のディスク識別装置は、小データエリアディスクを第１のディスクと同様に識別することができる。
【００１６】
また、本発明のディスク識別装置は、前記接触検出時光検出手段は、前記ディスク挿排部の幅方向の一端部を通過する前記第２のディスクが前記端部通過時接触検出手段に検出されるときに、前記第２のディスクを検出しない位置に配置される構成を有している。
【００１７】
この構成により、本発明のディスク識別装置は、ディスク挿排部に挿入されたディスクが第１のディスク、小データエリアディスク、ディスク挿排部の幅方向の一端部を通過する第２のディスク、中空ディスク及び透明ディスクの何れかである場合、ディスク挿排部に挿入されたディスクが第１のディスク又は小データエリアディスクであるか、或いは、ディスク挿排部の幅方向の一端部を通過する第２のディスク、中空ディスク又は透明ディスクであるかを識別することができる。
【００１８】
また、本発明のディスク識別装置は、前記ディスクに光が遮断されることによって通過する前記ディスクを検出する前記光検出手段としての通過ディスク光検出手段を備え、前記接触検出時光検出手段及び前記通過ディスク光検出手段は、前記第１のディスク及び前記中空ディスクが、前記ディスク挿排部に挿入されて、最初に前記通過ディスク光検出手段に検出されるときに前記接触検出時光検出手段に検出され、前記小データエリアディスクが、前記ディスク挿排部に挿入されて、最初に前記通過ディスク光検出手段に検出されるときに前記接触検出時光検出手段に検出され、或いは、前記通過ディスク光検出手段に検出されず、前記ディスク挿排部の幅方向の一端部を通過する前記第２のディスクが、前記ディスク挿排部に挿入されて、最初に前記通過ディスク光検出手段に検出されるときに前記接触検出時光検出手段に検出されない位置に配置され、前記識別手段は、前記通過ディスク光検出手段が前記ディスク挿排部に挿入される前記ディスクを最初に検出するときの前記接触検出時光検出手段の検出結果に基づいて、前記ディスクの種類を識別する構成を有している。
【００１９】
この構成により、本発明のディスク識別装置は、ディスク挿排部に挿入されたディスクが、ディスク挿排部の幅方向の一端部を通過する第２のディスクである場合、ディスク挿排部に挿入されたディスクが、ディスク挿排部の幅方向の一端部を通過する第２のディスクであることを識別することができる。
【００２０】
また、本発明のディスク識別装置は、前記ディスクに光が遮断されることによって通過する前記ディスクを検出する前記光検出手段としてのディスク通過時光検出手段と、前記ディスクに光が遮断されることによって通過する前記ディスクを検出する前記光検出手段としての通過ディスク光検出手段とを備え、前記ディスク挿排部の幅は前記第１のディスクの外径と長さが略同一であり、前記ディスク通過時光検出手段及び前記通過ディスク光検出手段は、前記第１のディスク及び前記中空ディスクが、前記ディスク挿排部に挿入されて、最初に前記ディスク通過時光検出手段に検出されるときに前記通過ディスク光検出手段に検出され、前記小データエリアディスク、前記ディスク挿排部の幅方向の一端部を通過する前記第２のディスク、及び、前記ディスク挿排部の幅方向の中央部を通過する前記第２のディスクが、前記ディスク挿排部に挿入されて、最初に前記ディスク通過時光検出手段に検出されるときに前記通過ディスク光検出手段に検出され、或いは、前記ディスク通過時光検出手段に検出されず、前記ディスク挿排部の幅方向の他端部を通過する前記第２のディスクが、前記ディスク挿排部に挿入されて、最初に前記ディスク通過時光検出手段に検出されるときに前記通過ディスク光検出手段に検出されない位置に配置され、前記識別手段は、前記ディスク通過時光検出手段が前記ディスク挿排部に挿入される前記ディスクを最初に検出するときの前記通過ディスク光検出手段の検出結果に基づいて、前記ディスクの種類を識別する構成を有している。
【００２１】
この構成により、本発明のディスク識別装置は、ディスク挿排部に挿入されたディスクが、ディスク挿排部の幅方向の他端部を通過する第２のディスクである場合、ディスク挿排部に挿入されたディスクが、ディスク挿排部の幅方向の他端部を通過する第２のディスクであることを識別することができる。
【００２２】
また、本発明のディスク識別装置は、前記ディスクに光が遮断されることによって通過する前記ディスクを検出する前記光検出手段としてのディスク通過時光検出手段を備え、前記ディスク挿排部の幅は前記第１のディスクの外径と長さが略同一であり、前記ディスク通過時光検出手段及び前記通過ディスク光検出手段は、前記第１のディスク及び前記中空ディスクが、前記ディスク挿排部に挿入されて、最初に前記ディスク通過時光検出手段に検出されるときに前記通過ディスク光検出手段に検出され、前記小データエリアディスク、前記ディスク挿排部の幅方向の一端部を通過する前記第２のディスク、及び、前記ディスク挿排部の幅方向の中央部を通過する前記第２のディスクが、前記ディスク挿排部に挿入されて、最初に前記ディスク通過時光検出手段に検出されるときに前記通過ディスク光検出手段に検出され、或いは、前記ディスク通過時光検出手段に検出されず、前記ディスク挿排部の幅方向の他端部を通過する前記第２のディスクが、前記ディスク挿排部に挿入されて、最初に前記ディスク通過時光検出手段に検出されるときに前記通過ディスク光検出手段に検出されない位置に配置され、前記識別手段は、前記ディスク通過時光検出手段が前記ディスク挿排部に挿入される前記ディスクを最初に検出するときの前記通過ディスク光検出手段の検出結果に基づいて、前記ディスクの種類を識別する構成を有している。
【００２３】
この構成により、本発明のディスク識別装置は、ディスク挿排部に挿入されたディスクが、ディスク挿排部の幅方向の他端部を通過する第２のディスクである場合、ディスク挿排部に挿入されたディスクが、ディスク挿排部の幅方向の他端部を通過する第２のディスクであることを識別することができる。
【００２４】
また、本発明のディスク識別装置は、前記ディスクに光が遮断されることによって通過する前記ディスクを検出する前記光検出手段としてのディスク通過時光検出手段と、前記ディスクの接触によって通過する前記ディスクを検出するディスク通過時接触検出手段とを備え、前記ディスク挿排部の幅は前記第１のディスクの外径と長さが略同一であり、前記ディスク通過時光検出手段及び前記ディスク通過時接触検出手段は、前記第１のディスク及び前記中空ディスクが、前記ディスク挿排部に挿入されて、最初に前記ディスク通過時光検出手段に検出されるときに前記ディスク通過時接触検出手段に検出され、前記小データエリアディスク、前記ディスク挿排部の幅方向の一端部を通過する前記第２のディスク、及び、前記ディスク挿排部の幅方向の中央部を通過する前記第２のディスクが、前記ディスク挿排部に挿入されて、最初に前記ディスク通過時光検出手段に検出されるときに前記ディスク通過時接触検出手段に検出され、或いは、前記ディスク通過時光検出手段に検出されず、前記ディスク挿排部の幅方向の他端部を通過する前記第２のディスクが、前記ディスク挿排部に挿入されて、最初に前記ディスク通過時光検出手段に検出されるときに前記ディスク通過時接触検出手段に検出されない位置に配置され、前記識別手段は、前記ディスク通過時光検出手段が前記ディスク挿排部に挿入される前記ディスクを最初に検出するときの前記ディスク通過時接触検出手段の検出結果に基づいて、前記ディスクの種類を識別する構成を有している。
【００２５】
この構成により、本発明のディスク識別装置は、ディスク挿排部に挿入されたディスクが、ディスク挿排部の幅方向の他端部を通過する第２のディスクである場合、ディスク挿排部に挿入されたディスクが、ディスク挿排部の幅方向の他端部を通過する第２のディスクであることを識別することができる。
【００２６】
また、本発明のディスク識別装置は、前記ディスクに光が遮断されることによって通過する前記ディスクを検出し、前記ディスク挿排部を通過する前記第２のディスクのうち前記接触検出時光検出手段によって検出されない第２のディスクを少なくとも検出する位置に配置される前記光検出手段としての非検出ディスク光検出手段と、前記ディスクに光が遮断されることによって通過する前記ディスクを検出する前記光検出手段としてのディスク通過時光検出手段と、前記ディスクの接触によって通過する前記ディスクを検出するディスク通過時接触検出手段とを備え、前記ディスク挿排部の幅は前記第１のディスクの外径と長さが略同一であり、前記接触検出時光検出手段、前記非検出ディスク光検出手段、前記ディスク通過時光検出手段及び前記ディスク通過時接触検出手段は、前記第１のディスク、前記小データエリアディスク、前記ディスク挿排部の幅方向の一端部を通過する前記第２のディスク、前記ディスク挿排部の幅方向の他端部を通過する前記第２のディスク、及び、前記中空ディスクが、前記ディスク挿排部に挿入されて、前記接触検出時光検出手段及び前記非検出ディスク光検出手段の少なくとも一方に検出されて、前記接触検出時光検出手段及び前記非検出ディスク光検出手段の双方に検出されなくなる以前に、前記ディスク通過時光検出手段及び前記ディスク通過時接触検出手段の少なくとも一方に検出され、前記ディスク挿排部の幅方向の中央部を通過する前記第２のディスクが、前記ディスク挿排部に挿入されて、前記接触検出時光検出手段及び前記非検出ディスク光検出手段の少なくとも一方に検出されて、前記接触検出時光検出手段及び前記非検出ディスク光検出手段の双方に検出されなくなる以前に、前記ディスク通過時光検出手段及び前記ディスク通過時接触検出手段の双方に検出されない位置に配置され、前記識別手段は、前記接触検出時光検出手段及び前記非検出ディスク光検出手段の少なくとも一方が前記ディスクを検出して、前記接触検出時光検出手段及び前記非検出ディスク光検出手段の双方が検出しなくなる以前の前記ディスク通過時接触検出手段及び前記ディスク通過時光検出手段の検出結果に基づいて、前記ディスクの種類を識別する構成を有している。
【００２７】
この構成により、本発明のディスク識別装置は、ディスク挿排部に挿入されたディスクが、ディスク挿排部の幅方向の中央部を通過する第２のディスクである場合、ディスク挿排部に挿入されたディスクが、ディスク挿排部の幅方向の中央部を通過する第２のディスクであることを識別することができる。
【００２８】
また、本発明のディスク識別装置は、前記ディスクに光が遮断されることによって通過する前記ディスクを検出し、前記ディスク挿排部を通過する前記第２のディスクのうち前記接触検出時光検出手段によって検出されない第２のディスクを少なくとも検出する位置に配置される前記光検出手段としての非検出ディスク光検出手段と、前記ディスクの接触によって通過する前記ディスクを検出するディスク通過時接触検出手段とを備え、前記接触検出時光検出手段、前記非検出ディスク光検出手段、前記ディスク通過時光検出手段及び前記ディスク通過時接触検出手段は、前記第１のディスク、前記小データエリアディスク、前記ディスク挿排部の幅方向の一端部を通過する前記第２のディスク、前記ディスク挿排部の幅方向の他端部を通過する前記第２のディスク、及び、前記中空ディスクが、前記ディスク挿排部に挿入されて、前記接触検出時光検出手段及び前記非検出ディスク光検出手段の少なくとも一方に検出されて、前記接触検出時光検出手段及び前記非検出ディスク光検出手段の双方に検出されなくなる以前に、前記ディスク通過時光検出手段及び前記ディスク通過時接触検出手段の少なくとも一方に検出され、前記ディスク挿排部の幅方向の中央部を通過する前記第２のディスクが、前記ディスク挿排部に挿入されて、前記接触検出時光検出手段及び前記非検出ディスク光検出手段の少なくとも一方に検出されて、前記接触検出時光検出手段及び前記非検出ディスク光検出手段の双方に検出されなくなる以前に、前記ディスク通過時光検出手段及び前記ディスク通過時接触検出手段の双方に検出されない位置に配置され、前記識別手段は、前記接触検出時光検出手段及び前記非検出ディスク光検出手段の少なくとも一方が前記ディスクを検出して、前記接触検出時光検出手段及び前記非検出ディスク光検出手段の双方が検出しなくなる以前の前記ディスク通過時接触検出手段及び前記ディスク通過時光検出手段の検出結果に基づいて、前記ディスクの種類を識別する構成を有している。
【００２９】
この構成により、本発明のディスク識別装置は、ディスク挿排部に挿入されたディスクが、ディスク挿排部の幅方向の中央部を通過する第２のディスクである場合、ディスク挿排部に挿入されたディスクが、ディスク挿排部の幅方向の中央部を通過する第２のディスクであることを識別することができる。
【００３０】
また、本発明のディスク識別装置は、前記ディスクに光が遮断されることによって通過する前記ディスクを検出し、前記ディスク挿排部を通過する前記第２のディスクのうち前記接触検出時光検出手段によって検出されない第２のディスクを少なくとも検出する位置に配置される前記光検出手段としての非検出ディスク光検出手段を備え、前記接触検出時光検出手段、前記非検出ディスク光検出手段、前記ディスク通過時光検出手段及び前記ディスク通過時接触検出手段は、前記第１のディスク、前記小データエリアディスク、前記ディスク挿排部の幅方向の一端部を通過する前記第２のディスク、前記ディスク挿排部の幅方向の他端部を通過する前記第２のディスク、及び、前記中空ディスクが、前記ディスク挿排部に挿入されて、前記接触検出時光検出手段及び前記非検出ディスク光検出手段の少なくとも一方に検出されて、前記接触検出時光検出手段及び前記非検出ディスク光検出手段の双方に検出されなくなる以前に、前記ディスク通過時光検出手段及び前記ディスク通過時接触検出手段の少なくとも一方に検出され、前記ディスク挿排部の幅方向の中央部を通過する前記第２のディスクが、前記ディスク挿排部に挿入されて、前記接触検出時光検出手段及び前記非検出ディスク光検出手段の少なくとも一方に検出されて、前記接触検出時光検出手段及び前記非検出ディスク光検出手段の双方に検出されなくなる以前に、前記ディスク通過時光検出手段及び前記ディスク通過時接触検出手段の双方に検出されない位置に配置され、前記識別手段は、前記接触検出時光検出手段及び前記非検出ディスク光検出手段の少なくとも一方が前記ディスクを検出して、前記接触検出時光検出手段及び前記非検出ディスク光検出手段の双方が検出しなくなる以前の前記ディスク通過時接触検出手段及び前記ディスク通過時光検出手段の検出結果に基づいて、前記ディスクの種類を識別する構成を有している。
【００３１】
この構成により、本発明のディスク識別装置は、ディスク挿排部に挿入されたディスクが、ディスク挿排部の幅方向の中央部を通過する第２のディスクである場合、ディスク挿排部に挿入されたディスクが、ディスク挿排部の幅方向の中央部を通過する第２のディスクであることを識別することができる。
【００３２】
また、本発明のディスク識別装置は、前記ディスクに光が遮断されることによって通過する前記ディスクを検出する前記光検出手段としてのディスク通過時光検出手段と、前記ディスクの接触によって通過する前記ディスクを検出するディスク通過時接触検出手段とを備え、前記ディスク通過時光検出手段及び前記ディスク通過時接触検出手段は、前記ディスク挿排部の幅方向の一端部を通過する前記第２のディスクが、前記ディスク挿排部に挿入されて、最初に前記ディスク通過時光検出手段に検出されるときに前記ディスク通過時接触検出手段に検出されず、或いは、前記ディスク通過時光検出手段に検出されず、前記中空ディスクが、前記ディスク挿排部に挿入されて、最初に前記ディスク通過時光検出手段に検出されるときに前記ディスク通過時接触検出手段に検出される位置に配置され、前記識別手段は、前記端部通過時接触検出手段が前記ディスクを検出するときの前記接触検出時光検出手段の検出結果と、前記ディスク通過時光検出手段が前記ディスク挿排部に挿入される前記ディスクを最初に検出するときの前記ディスク通過時接触検出手段の検出結果とに基づいて、前記ディスクの種類を識別する構成を有している。
【００３３】
この構成により、本発明のディスク識別装置は、ディスク挿排部に挿入されたディスクが中空ディスクである場合、ディスク挿排部に挿入されたディスクが中空ディスクであることを識別することができる。
【００３４】
また、本発明のディスク識別装置は、前記ディスクの接触によって通過する前記ディスクを検出するディスク通過時接触検出手段を備え、前記ディスク通過時光検出手段及び前記ディスク通過時接触検出手段は、前記ディスク挿排部の幅方向の一端部を通過する前記第２のディスクが、前記ディスク挿排部に挿入されて、最初に前記ディスク通過時光検出手段に検出されるときに前記ディスク通過時接触検出手段に検出されず、或いは、前記ディスク通過時光検出手段に検出されず、前記中空ディスクが、前記ディスク挿排部に挿入されて、最初に前記ディスク通過時光検出手段に検出されるときに前記ディスク通過時接触検出手段に検出される位置に配置され、前記識別手段は、前記端部通過時接触検出手段が前記ディスクを検出するときの前記接触検出時光検出手段の検出結果と、前記ディスク通過時光検出手段が前記ディスク挿排部に挿入される前記ディスクを最初に検出するときの前記ディスク通過時接触検出手段の検出結果とに基づいて、前記ディスクの種類を識別する構成を有している。
【００３５】
この構成により、本発明のディスク識別装置は、ディスク挿排部に挿入されたディスクが中空ディスクである場合、ディスク挿排部に挿入されたディスクが中空ディスクであることを識別することができる。
【００３６】
また、本発明のディスク識別装置は、前記ディスク通過時光検出手段及び前記ディスク通過時接触検出手段は、前記ディスク挿排部の幅方向の一端部を通過する前記第２のディスクが、前記ディスク挿排部に挿入されて、最初に前記ディスク通過時光検出手段に検出されるときに前記ディスク通過時接触検出手段に検出されず、或いは、前記ディスク通過時光検出手段に検出されず、前記中空ディスクが、前記ディスク挿排部に挿入されて、最初に前記ディスク通過時光検出手段に検出されるときに前記ディスク通過時接触検出手段に検出される位置に配置され、前記識別手段は、前記端部通過時接触検出手段が前記ディスクを検出するときの前記接触検出時光検出手段の検出結果と、前記ディスク通過時光検出手段が前記ディスク挿排部に挿入される前記ディスクを最初に検出するときの前記ディスク通過時接触検出手段の検出結果とに基づいて、前記ディスクの種類を識別する構成を有している。
【００３７】
この構成により、本発明のディスク識別装置は、ディスク挿排部に挿入されたディスクが中空ディスクである場合、ディスク挿排部に挿入されたディスクが中空ディスクであることを識別することができる。
【００３８】
また、本発明のディスク識別装置は、前記光検出手段は、前記端部通過時接触検出手段に検出されるときの前記第１のディスク、前記小データエリアディスク、前記第２のディスク、及び、前記中空ディスクを検出する位置に配置され、前記識別手段は、前記端部通過時接触検出手段が前記ディスクを検出するときの前記光検出手段の検出結果に基づいて、前記ディスクの種類を識別する構成を有している。
【００３９】
この構成により、本発明のディスク識別装置は、ディスク挿排部に挿入されたディスクが透明ディスクである場合、ディスク挿排部に挿入されたディスクが透明ディスクであることを識別することができる。
【００４０】
また、本発明のディスク識別装置は、前記第１のディスクの直径が１２ｃｍであり、前記第２のディスクの直径が８ｃｍである構成を有している。
【００４１】
この構成により、本発明のディスク識別装置は、第１のディスクが通常１２ｃｍディスクであり、小データエリアディスクが小データエリア１２ｃｍディスクであり、第２のディスクが、通常のデータエリアを有する８ｃｍディスク（以下、通常８ｃｍディスクという。）であり、中空ディスクが、１２ｃｍの外径であり、中心部に８ｃｍディスクを保持することができる直径８ｃｍの中空穴が形成されるアダプタ（以下、１２ｃｍアダプタという。）であり、透明ディスクが、全体が透明な１２ｃｍディスク（以下、透明１２ｃｍディスクという。）である構成に対応することができ、小データエリア１２ｃｍディスクを通常１２ｃｍディスクと同様に識別することができる。
【００４２】
なお、本発明のディスク識別装置は、中心部に８ｃｍディスクを保持した１２ｃｍアダプタを通常１２ｃｍディスクと同様に取り扱う。
【００４３】
また、本発明のディスク挿排装置は、ディスク識別装置と、前記ディスクを搬送して挿排する搬送手段と、前記識別手段の識別結果に基づいて、前記搬送手段による前記ディスクの挿排動作を制御する制御手段とを備える構成を有している。
【００４４】
この構成により、本発明のディスク挿排装置は、ディスク挿排部に挿入された小データエリアディスクを第１のディスクと同様に挿入することができる。
【００４５】
また、本発明のディスク挿排装置は、ディスク識別装置と、前記ディスクを搬送して挿排する搬送手段と、前記端部通過時接触検出手段が前記ディスクを検出するときに前記接触検出時光検出手段が前記ディスクを検出する場合、前記識別手段による識別結果に基づいて、前記搬送手段に前記ディスクを挿入させるように、前記搬送手段による前記ディスクの挿排動作を制御する制御手段とを備える構成を有している。
【００４６】
この構成により、本発明のディスク挿排装置は、ディスク挿排部に挿入された小データエリアディスクを第１のディスクと同様に内部に挿入することができる。
【００４７】
また、本発明のディスク挿排装置は、ディスク識別装置と、前記ディスクを搬送して挿排する搬送手段と、前記端部通過時接触検出手段が前記ディスクを検出するときに前記接触検出時光検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００４８】
この構成により、本発明のディスク挿排装置は、ディスク挿排部に挿入された、中空ディスク又は透明ディスク、或いは、ディスク挿排部の幅方向の一端部を通過する第２のディスク、中空ディスク又は透明ディスクを外部に排出することができる。
【００４９】
また、本発明のディスク挿排装置は、ディスク識別装置と、前記ディスクを搬送して挿排する搬送手段と、前記通過ディスク光検出手段が前記ディスク挿排部に挿入される前記ディスクを最初に検出するときに前記接触検出時光検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５０】
この構成により、本発明のディスク挿排装置は、ディスク挿排部の幅方向の一端部を通過する第２のディスクを外部に排出することができる。
【００５１】
また、本発明のディスク挿排装置は、ディスク識別装置と、前記ディスクを搬送して挿排する搬送手段と、前記ディスク通過時光検出手段が前記ディスク挿排部に挿入される前記ディスクを最初に検出するときに前記通過ディスク光検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５２】
この構成により、本発明のディスク挿排装置は、ディスク挿排部の幅方向の他端部を通過する第２のディスクを外部に排出することができる。
【００５３】
また、本発明のディスク挿排装置は、ディスク識別装置と、前記ディスクを搬送して挿排する搬送手段と、前記ディスク通過時光検出手段が前記ディスク挿排部に挿入される前記ディスクを最初に検出するときに前記ディスク通過時接触検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５４】
この構成により、本発明のディスク挿排装置は、ディスク挿排部の幅方向の他端部を通過する第２のディスクを外部に排出することができる。
【００５５】
また、本発明のディスク挿排装置は、ディスク識別装置と、前記ディスクを搬送して挿排する搬送手段と、前記接触検出時光検出手段及び前記非検出ディスク光検出手段の少なくとも一方が前記ディスクを検出して、前記接触検出時光検出手段及び前記非検出ディスク光検出手段の双方が検出しなくなる以前に、前記ディスク通過時接触検出手段及び前記ディスク通過時光検出手段の双方が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５６】
この構成により、本発明のディスク挿排装置は、ディスク挿排部の幅方向の中央部を通過する第２のディスクを外部に排出することができる。
【００５７】
また、本発明のディスク挿排装置は、ディスク識別装置と、前記ディスクを搬送して挿排する搬送手段と、前記ディスク通過時光検出手段が前記ディスク挿排部に挿入される前記ディスクを最初に検出するときに前記ディスク通過時接触検出手段が前記ディスクを検出し、前記端部通過時接触検出手段が前記ディスクを検出するときに前記接触検出時光検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００５８】
この構成により、本発明のディスク挿排装置は、ディスク挿排部に挿入された中空ディスクを外部に排出することができる。
【００５９】
また、本発明のディスク挿排装置は、ディスク識別装置と、前記ディスクを搬送して挿排する搬送手段と、前記端部通過時接触検出手段が前記ディスクを検出するときに前記光検出手段が前記ディスクを検出しない場合、前記識別手段による識別結果に基づいて、前記搬送手段に前記ディスクを排出させるように、前記搬送手段による前記ディスクの挿排動作を制御する制御手段とを備える構成を有している。
【００６０】
この構成により、本発明のディスク挿排装置は、ディスク挿排部に挿入された透明ディスクを外部に排出することができる。
【００６１】
また、本発明のディスク挿排装置は、ディスク識別装置と、前記ディスクを搬送して挿排する搬送手段と、前記通過ディスク光検出手段が前記ディスク挿排部に挿入される前記ディスクを最初に検出するときに前記接触検出時光検出手段が前記ディスクを検出しない場合、前記識別手段による識別結果に基づいて、前記搬送手段に前記ディスクを挿入させるように、前記搬送手段による前記ディスクの挿排動作を制御する制御手段とを備える構成を有している。
【００６２】
この構成により、本発明のディスク挿排装置は、ディスク挿排部の幅方向の一端部を通過する第２のディスクを内部に挿入することができる。
【００６３】
また、本発明のディスク挿排装置は、ディスク識別装置と、前記ディスクを搬送して挿排する搬送手段と、前記ディスク通過時光検出手段が前記ディスク挿排部に挿入される前記ディスクを最初に検出するときに前記通過ディスク光検出手段が前記ディスクを検出しない場合、前記識別手段による識別結果に基づいて、前記搬送手段に前記ディスクを挿入させるように、前記搬送手段による前記ディスクの挿排動作を制御する制御手段とを備える構成を有している。
【００６４】
この構成により、本発明のディスク挿排装置は、ディスク挿排部の幅方向の他端部を通過する第２のディスクを内部に挿入することができる。
【００６５】
また、本発明のディスク挿排装置は、ディスク識別装置と、前記ディスクを搬送して挿排する搬送手段と、前記ディスク通過時光検出手段が前記ディスク挿排部に挿入される前記ディスクを最初に検出するときに前記ディスク通過時接触検出手段が前記ディスクを検出しない場合、前記識別手段による識別結果に基づいて、前記搬送手段に前記ディスクを挿入させるように、前記搬送手段による前記ディスクの挿排動作を制御する制御手段とを備える構成を有している。
【００６６】
この構成により、本発明のディスク挿排装置は、ディスク挿排部の幅方向の他端部を通過する第２のディスクを内部に挿入することができる。
【００６７】
また、本発明のディスク挿排装置は、ディスク識別装置と、前記ディスクを搬送して挿排する搬送手段と、前記接触検出時光検出手段及び前記非検出ディスク光検出手段の少なくとも一方が前記ディスクを検出して、前記接触検出時光検出手段及び前記非検出ディスク光検出手段の双方が検出しなくなる以前に、前記ディスク通過時接触検出手段及び前記ディスク通過時光検出手段の双方が前記ディスクを検出しない場合、前記識別手段による識別結果に基づいて、前記搬送手段に前記ディスクを挿入させるように、前記搬送手段による前記ディスクの挿排動作を制御する制御手段とを備える構成を有している。
【００６８】
この構成により、本発明のディスク挿排装置は、ディスク挿排部の幅方向の中央部を通過する第２のディスクを内部に挿入することができる。
【００６９】
また、本発明のディスク挿排装置は、ディスク識別装置と、前記接触検出時光検出手段より前記ディスクの挿入方向下流側に配置され、前記ディスクを搬送して挿排する搬送手段と、前記接触検出時光検出手段の検出結果に基づいて、前記搬送手段による前記ディスクの挿入動作を制御する制御手段とを備える構成を有している。
【００７０】
この構成により、本発明のディスク挿排装置は、接触検出時光検出手段に検出されるディスクが搬送手段に接触しながら搬送手段より挿入方向下流側に半分以上手動で挿入される前に、ディスクを搬送手段によって挿入し始めることができ、操作フィーリングを向上することができる。
【００７１】
また、本発明のディスク挿排装置は、前記接触検出時光検出手段は、前記ディスク挿排部に挿入され、前記ディスク挿排部の幅方向の他端部を通過する前記第２のディスクが前記搬送手段に接触する前に、前記第２のディスクを検出する位置に配置される構成を有している。
【００７２】
この構成により、本発明のディスク挿排装置は、ディスク挿排部の幅方向の他端部を通過する第２のディスクが搬送手段に接触する前に搬送手段を駆動して、第２のディスクが搬送手段まで手動で挿入されて搬送手段に接触した時点から、第２のディスクを搬送手段によって挿入し始めることができ、操作フィーリングを向上することができる。
【００７３】
また、本発明のディスク挿排装置は、ディスク識別装置と、前記非検出ディスク光検出手段より前記ディスクの挿入方向下流側に配置され、前記ディスクを搬送して挿排する搬送手段と、前記非検出ディスク光検出手段の検出結果に基づいて、前記搬送手段による前記ディスクの挿入動作を制御する制御手段とを備える構成を有している。
【００７４】
この構成により、本発明のディスク挿排装置は、非検出ディスク光検出手段に検出されるディスクが搬送手段に接触しながら搬送手段より挿入方向下流側に半分以上手動で挿入される前に、ディスクを搬送手段によって挿入し始めることができ、操作フィーリングを向上することができる。
【００７５】
また、本発明のディスク挿排装置は、前記非検出ディスク光検出手段は、前記ディスク挿排部に挿入された前記第１のディスクが前記搬送手段に接触する前に、前記第１のディスクを検出する位置に配置される構成を有している。
【００７６】
この構成により、本発明のディスク挿排装置は、ディスク挿排部に挿入された第１のディスク、又は、第１のディスクと外径が略同一である中空ディスクが搬送手段に接触する前に搬送手段を駆動して、第１のディスク又は中空ディスクが搬送手段まで手動で挿入されて搬送手段に接触した時点から、第１のディスク又は中空ディスクを搬送手段によって挿入し始めることができ、操作フィーリングを向上することができる。
【００７７】
また、本発明のディスク挿排装置は、前記非検出ディスク光検出手段は、前記ディスク挿排部に挿入され、前記ディスク挿排部の幅方向の中央部を通過する前記第２のディスクが前記搬送手段に接触する前に、前記第２のディスクを検出する位置に配置される構成を有している。
【００７８】
この構成により、本発明のディスク挿排装置は、ディスク挿排部の幅方向の中央部を通過する第２のディスクが搬送手段に接触する前に搬送手段を駆動して、第２のディスクが搬送手段まで手動で挿入されて搬送手段に接触した時点から、第２のディスクを搬送手段によって挿入し始めることができ、操作フィーリングを向上することができる。
【００７９】
また、本発明のディスク挿排装置は、前記非検出ディスク光検出手段は、前記ディスク挿排部に挿入され、前記ディスク挿排部の幅方向の一端部を通過する前記第２のディスクが前記搬送手段に接触する前に、前記第２のディスクを検出する位置に配置される構成を有している。
【００８０】
この構成により、本発明のディスク挿排装置は、ディスク挿排部の幅方向の一端部を通過する第２のディスクが搬送手段に接触する前に搬送手段を駆動して、第２のディスクが搬送手段まで手動で挿入されて搬送手段に接触した時点から、第２のディスクを搬送手段によって挿入し始めることができ、操作フィーリングを向上することができる。
【００８１】
また、本発明のディスク挿排装置は、ディスク識別装置と、前記ディスク通過時接触検出手段より前記ディスクの挿入方向下流側に配置され、前記ディスクを搬送して挿排する搬送手段と、前記ディスク通過時接触検出手段の検出結果に基づいて、前記搬送手段による前記ディスクの挿入動作を制御する制御手段とを備える構成を有している。
【００８２】
この構成により、本発明のディスク挿排装置は、ディスク通過時接触検出手段に検出されるディスクが搬送手段に接触しながら搬送手段より挿入方向下流側に半分以上手動で挿入される前に、ディスクを搬送手段によって挿入し始めることができ、操作フィーリングを向上することができる。
【００８３】
また、本発明のディスク挿排装置は、ディスク識別装置と、前記端部通過時接触検出手段及び前記接触検出時光検出手段より前記ディスクの挿入方向下流側に配置され、前記ディスクを搬送して挿排する搬送手段と、前記端部通過時接触検出手段が前記ディスクを検出するときの前記接触検出時光検出手段の検出結果に基づいた前記識別手段による識別結果に基づいて、前記搬送手段による前記ディスクの挿排動作を制御する制御手段を備える構成を有している。
【００８４】
この構成により、本発明のディスク挿排装置は、ディスクが搬送手段より挿入方向下流側に半分以上挿入される前に、ディスクを内部に挿入するか、或いは、外部に排出するかを判断して、搬送手段によって挿入或いは排出し始めることができ、操作フィーリングを向上することができる。
【００８５】
また、本発明のディスク挿排装置は、ディスク識別装置と、前記ディスクを挿排し、挿入中の前記ディスクとの接触が外れる前に前記識別手段による前記ディスクの識別が終了する位置に配置される搬送手段と、前記識別手段による識別結果に基づいて、前記搬送手段による前記ディスクの挿排動作を制御する制御手段とを備える構成を有している。
【００８６】
この構成により、本発明のディスク挿排装置は、ディスクが搬送手段と接触している間に、ディスクを内部に挿入するか、或いは、外部に排出するかを判断して、搬送手段によって挿入或いは排出することができ、排出すべきディスクを誤って挿入することを防止することができる。
【００８７】
また、本発明のディスク挿排装置は、ディスク識別装置と、前記ディスクを搬送して挿排する搬送手段と、前記通過ディスク光検出手段の検出結果に基づいて、前記搬送手段による前記ディスクの排出動作を制御する制御手段とを備え、前記通過ディスク光検出手段は、前記第１のディスクが前記ディスク挿排部から排出されるとき、前記第１のディスクを検出した後、前記搬送手段に接触中の前記第１のディスクを検出しなくなる位置に配置される構成を有している。
【００８８】
この構成により、本発明のディスク挿排装置は、外部に排出中の第１のディスク、又は、第１のディスクと外径が略同一である中空ディスクが搬送手段に接触している間に、搬送手段による第１のディスク又は中空ディスクの排出を停止することができ、外部に排出する第１のディスク又は中空ディスクが装置から落下することを防止することができる。
【００８９】
また、本発明のディスク挿排装置は、ディスク識別装置と、前記ディスクを搬送して挿排する搬送手段と、前記通過ディスク光検出手段の検出結果に基づいて、前記搬送手段による前記ディスクの排出動作を制御する制御手段とを備え、前記通過ディスク光検出手段は、前記小データエリアディスクが前記ディスク挿排部から排出されるとき、前記小データエリアディスクを検出した後、前記搬送手段に接触中の前記小データエリアディスクを検出しなくなる位置に配置される構成を有している。
【００９０】
この構成により、本発明のディスク挿排装置は、外部に排出中の小データエリアディスクが搬送手段に接触している間に、搬送手段による小データエリアディスクの排出を停止することができ、外部に排出する小データエリアディスクが装置から落下することを防止することができる。
【００９１】
また、本発明のディスク挿排装置は、ディスク識別装置と、前記ディスクを搬送して挿排する搬送手段と、前記通過ディスク光検出手段の検出結果に基づいて、前記搬送手段による前記ディスクの排出動作を制御する制御手段とを備え、前記通過ディスク光検出手段は、前記ディスク挿排部の幅方向の中央部を通過する前記第２のディスクが前記ディスク挿排部から排出されるとき、前記第２のディスクを検出した後、前記搬送手段に接触中の前記第２のディスクを検出しなくなる位置に配置される構成を有している。
【００９２】
この構成により、本発明のディスク挿排装置は、外部に排出中のディスク挿排部の幅方向の中央部を通過する第２のディスクが搬送手段に接触している間に、搬送手段による第２のディスクの排出を停止することができ、外部に排出する第２のディスクが装置から落下することを防止することができる。
【００９３】
また、本発明のディスク挿排装置は、ディスク識別装置と、前記ディスクを搬送して挿排する搬送手段と、前記通過ディスク光検出手段の検出結果に基づいて、前記搬送手段による前記ディスクの排出動作を制御する制御手段とを備え、前記通過ディスク光検出手段は、前記ディスク挿排部の幅方向の一端部を通過する前記第２のディスクが前記ディスク挿排部から排出されるとき、前記第２のディスクを検出した後、前記搬送手段に接触中の前記第２のディスクを検出しなくなる位置に配置される構成を有している。
【００９４】
この構成により、本発明のディスク挿排装置は、外部に排出中のディスク挿排部の幅方向の一端部を通過する第２のディスクが搬送手段に接触している間に、搬送手段による第２のディスクの排出を停止することができ、外部に排出する第２のディスクが装置から落下することを防止することができる。
【００９５】
また、本発明のディスク挿排装置は、ディスク識別装置と、前記ディスクを搬送して挿排する搬送手段と、前記ディスク通過時光検出手段の検出結果に基づいて、前記搬送手段による前記ディスクの排出動作を制御する制御手段とを備え、前記ディスク通過時光検出手段は、前記ディスク挿排部の幅方向の他端部を通過する前記第２のディスクが前記ディスク挿排部から排出されるとき、前記第２のディスクを検出した後、前記搬送手段に接触中の前記第２のディスクを検出しなくなる位置に配置される構成を有している。
【００９６】
この構成により、本発明のディスク挿排装置は、外部に排出中のディスク挿排部の幅方向の他端部を通過する第２のディスクが搬送手段に接触している間に、搬送手段による第２のディスクの排出を停止することができ、外部に排出する第２のディスクが装置から落下することを防止することができる。
【００９７】
また、本発明のディスク挿排装置は、ディスク識別装置と、前記ディスクを搬送して挿排する搬送手段と、前記ディスク通過時接触検出手段の検出結果に基づいて、前記搬送手段による前記ディスクの排出動作を制御する制御手段とを備え、前記ディスク通過時接触検出手段は、前記第１のディスクと外径が略同一であり、全体が透明な透明ディスクが前記ディスク挿排部から排出されるとき、前記透明ディスクを検出した後、前記搬送手段に接触中の前記透明ディスクを検出しなくなる位置に配置される構成を有している。
【００９８】
この構成により、本発明のディスク挿排装置は、外部に排出中の透明ディスクが搬送手段に接触している間に、搬送手段による透明ディスクの排出を停止することができ、外部に排出する透明ディスクが装置から落下することを防止することができる。
【００９９】
また、本発明のディスク挿排装置は、ディスク識別装置と、前記ディスクを搬送して挿排する搬送手段と、前記識別手段の識別結果に基づいて、前記搬送手段による前記ディスクの挿排動作を制御する制御手段とを備え、前記制御手段は、前記搬送手段に前記ディスクを挿入させているとき、前記端部通過時接触検出手段が前記ディスクを複数回検出する場合、前記搬送手段による前記ディスクの挿入動作を停止させる構成を有している。
【０１００】
この構成により、本発明のディスク挿排装置は、一回の挿入動作で内部に複数枚のディスクが挿入された場合、ディスクの搬送を停止するので、一回の挿入動作で内部に複数枚のディスクが挿入されることを防止することができ、故障することを防止することができる。
【０１０１】
また、本発明のディスク挿排装置は、ディスク識別装置と、前記ディスクを搬送して挿排する搬送手段と、前記識別手段の識別結果に基づいて、前記搬送手段による前記ディスクの挿排動作を制御する制御手段とを備え、前記制御手段は、前記搬送手段に前記ディスクを挿入させているとき、前記端部通過時接触検出手段が前記ディスクを複数回検出する場合、前記搬送手段に前記ディスクを排出させる構成を有している。
【０１０２】
この構成により、本発明のディスク挿排装置は、一回の挿入動作で内部に複数枚のディスクが挿入された場合、ディスクを外部に排出するので、一回の挿入動作で内部に複数枚のディスクが挿入されることを防止することができ、故障することを防止することができる。
【０１０３】
また、本発明のディスク挿排装置は、前記ディスクと接触することによって、複数枚以上が重なった前記ディスクの通過を規制する規制部を前記ディスク挿排部の内部に備える構成を有している。
【０１０４】
この構成により、本発明のディスク挿排装置は、一回の挿入動作で内部に複数枚のディスクが挿入されることを防止することができ、故障することを防止することができる。
【０１０５】
また、本発明のディスク挿排装置は、前記搬送手段と接触することによって、前記搬送手段が前記ディスク挿排部を通過する前記ディスクの厚み方向に移動することを制限する制限手段を備える構成を有している。
【０１０６】
この構成により、本発明のディスク挿排装置は、一回の挿入動作で内部に複数枚のディスクが挿入されることを防止することができ、故障することを防止することができる。
【０１０７】
また、本発明のディスク挿排装置は、前記制御手段は、前記搬送手段による前記ディスクの挿入開始から一定時間が経過した後、前記搬送手段に前記ディスクを排出させる構成を有している。
【０１０８】
この構成により、本発明のディスク挿排装置は、一回の挿入動作で内部に複数枚のディスクが挿入された場合、ディスクを外部に排出することができる。
【０１０９】
また、本発明のディスク挿排装置は、前記第１のディスクの直径が１２ｃｍであり、前記第２のディスクの直径が８ｃｍである構成を有している。
【０１１０】
この構成により、本発明のディスク挿排装置は、第１のディスクが通常１２ｃｍディスクであり、小データエリアディスクが小データエリア１２ｃｍディスクであり、第２のディスクが通常８ｃｍディスクであり、中空ディスクが１２ｃｍアダプタであり、透明ディスクが透明１２ｃｍディスクである構成に対応することができ、小データエリア１２ｃｍディスクを通常１２ｃｍディスクと同様に挿入することができる。
【０１１１】
なお、本発明のディスク挿排装置は、中心部に８ｃｍディスクを保持した１２ｃｍアダプタを通常１２ｃｍディスクと同様に取り扱う。
【０１１２】
また、本発明のディスク記録再生装置は、ディスク挿排装置を備える構成を有している。
【０１１３】
この構成により、本発明のディスク記録再生装置は、小データエリアディスク（例えば、小データエリア１２ｃｍディスク）を第１のディスク（例えば、通常１２ｃｍディスク）と同様に挿入し、記録再生することができる。
【０１１４】
また、本発明のディスク記録再生装置は、前記ディスクを回転する回転手段と、前記識別手段によって識別された前記ディスクの外径に基づいて、前記回転手段の回転力を制御する回転力制御手段とを備える構成を有している。
【０１１５】
この構成により、本発明のディスク記録再生装置は、第２のディスク（例えば、通常８ｃｍディスク）と、小データエリアディスク（例えば、小データエリア１２ｃｍディスク）とを識別することができ、第２のディスクと、小データエリアディスクとにディスクの重量に応じて異なる回転力を与えて、第２のディスクと、小データエリアディスクとを等しい回転数で回転させることができる。
【０１１６】
【発明の実施の形態】
以下、本発明の一実施の形態について、図面を用いて説明する。
【０１１７】
まず、本実施の形態に係るディスク記録再生装置の構成について説明する。
【０１１８】
図１及び図２において、本実施の形態に係るディスク記録再生装置は、基台１０１を備えており、基台１０１には、挿入された通常１２ｃｍディスク１０７などのディスクの通過方向（即ち、ローディング方向及びイジェクト方向）に略直交する幅方向（矢印２０１の示す方向）の移動を規制し、挿入経路を形成するディスクガイド部材１０２や、挿入されたディスクに接触し、動力を伝達することによって、ディスクを搬送し、ディスクの挿入（ローディング）及び排出（イジェクト）を行う搬送手段としてのローラ部材１０３や、挿入されたディスクに対して下方向（矢印２０２の示す方向）にローラ部材１０３を付勢する弾性部材（図示していない。）や、ローラ部材１０３に設けられたギヤ１０３ａと係合し、ローラ部材１０３を回転させる動力源（図示していない。）が設けられている。
【０１１９】
ここで、ディスクガイド部材１０２と、ローラ部材１０３とは、ディスク記録再生装置の内部に挿入されたディスクを挟み、ローディング方向又はイジェクト方向に搬送するようになっており、ディスクを挿排するディスク挿排部１００を形成している。なお、ディスク挿排部１００は、遮光性のあるデータエリアを有する通常１２ｃｍディスク（第１のディスク）や、通常１２ｃｍディスクより外径が小さく、遮光性のあるデータエリアを有する通常８ｃｍディスク（第２のディスク）などのディスクを通過させることができるように、幅が通常１２ｃｍディスクの外径と略同一の長さ（約１２ｃｍ）となっている。
【０１２０】
また、ディスク挿排部１００の内部には、ディスクガイド部材１０２に、挿入されるディスクと接触することによって、挿入されるディスクの厚み方向を規制し、複数枚が重なったディスクの通過を規制する規制部としての突起１０２ａ、１０２ｂが設けられており、ディスク記録再生装置の内部への複数枚のディスクの同時挿入を防止するようになっている。より詳細に説明すると、ディスク記録再生装置の内部に１枚のディスクが挿入された場合には、挿入されたディスクはディスクガイド部材１０２の本体１０２ｃと突起１０２ａ、１０２ｂとの間を通過できるが、複数枚のディスクが挿入された場合には、挿入されたディスクはディスクガイド部材１０２の本体１０２ｃと突起１０２ａ、１０２ｂとの間を通過できないようになっている。
【０１２１】
また、基台１０１には、ローラ部材１０３の中央に設けられた軸部材１０３ｂと接触することによって、ローラ部材１０３がディスク挿排部１００を通過するディスクの厚み方向（矢印２０３の示す方向）に移動することを制限する制限手段としての突起１０１ａと、突起１０２ｂの上方向（矢印２０３の示す方向）への変位を規制する突起１０１ｂとが設けられており、ディスク記録再生装置の内部への複数枚のディスクの同時挿入を防止するようになっている。より詳細に説明すると、ディスク記録再生装置の内部に１枚のディスクが挿入された場合には、挿入されたディスクはディスクガイド部材１０２とローラ部材１０３との間を通過できるが、複数枚のディスクが挿入された場合には、基台１０１の突起１０１ａとローラ部材１０３の軸部材１０３ｂとが接触することによって、挿入されたディスクはディスクガイド部材１０２とローラ部材１０３との間を通過できないようになっている。
【０１２２】
また、ディスク記録再生装置は、筐体（図示していない。）を備えており、筐体には、ディスクガイド部材１０２に対してローラ部材１０３側に、ディスクがディスク記録再生装置の内部に挿入された際にディスクの外周と接触する軸部１０４ａを有するレバー部材１０４や、複数の受光素子１０５ａ、１０５ｂ、１０５ｃ、１０５ｄと、レバー部材１０４に設けられた突起１０４ｂに接触することで、レバー部材１０４の変位を検出するプッシュスイッチ１０６ａ、１０６ｂとを備えた上基板（図示していない。）や、レバー部材１０４を矢印２０１の示す方向で図１に示す位置に付勢する弾性部材（図示していない。）が設けられている。
【０１２３】
なお、受光素子１０５ａ、１０５ｂ、１０５ｃ、１０５ｄや、プッシュスイッチ１０６ａ、１０６ｂは、ディスクを検出している状態のときにＨｉを出力し、ディスクを検出していない状態のときにＬｏを出力するようになっている。
【０１２４】
また、基台１０１とディスクガイド部材１０２との間には受光素子１０５ａ、１０５ｂ、１０５ｃ、１０５ｄと対をなす複数の発光素子（図示していない。）を備えた下基板（図示していない。）が設けられている。
【０１２５】
ここで、レバー部材１０４の軸部１０４ａは、ローラ部材１０３よりディスクの挿入（ローディング）方向上流側に配置されており、プッシュスイッチ１０６ａは、挿入されたディスクの外周とレバー部材１０４の軸部１０４ａが接触することでレバー部材１０４が左方向（矢印２０４の示す方向）への移動を開始した直後からレバー部材１０４の変位を検出する位置に設けられている。
【０１２６】
また、プッシュスイッチ１０６ｂは、挿入された通常１２ｃｍディスク１０７の外周とレバー部材１０４の軸部１０４ａが接触したときのレバー部材１０４の矢印２０４の示す方向の最大変位を検出する位置に設けられており、レバー部材１０４及びプッシュスイッチ１０６ｂは、ディスクとの接触によってディスク挿排部１００の幅方向の一端部１００ａを通過するディスクを検出する端部通過時接触検出手段を構成している。
【０１２７】
即ち、プッシュスイッチ１０６ｂは、図３に示すようにディスク挿排部１００を通過する通常１２ｃｍディスク１０７や、図４に示すようにディスク挿排部１００を通過する小データエリアディスクとしての小データエリア１２ｃｍディスク１０８や、図５に示すようにディスク挿排部１００の幅方向の一端部１００ａを通過する通常８ｃｍディスク１０９や、図６に示すようにディスク挿排部１００を通過する中空ディスクとしての１２ｃｍアダプタ１１０や、図７に示すようにディスク挿排部１００を通過する透明ディスクとしての透明１２ｃｍディスク１１１を検出するようになっている。なお、図３から図６までにおいて、ディスクのうち、斜線を付している部分は、データエリアなどの遮光性を有する部分を表している。
【０１２８】
また、受光素子１０５ｂは、ディスクに光が遮断されることによって通過するディスクを検出し、図４に示すように小データエリア１２ｃｍディスク１０８がプッシュスイッチ１０６ｂに検出されるときに、小データエリア１２ｃｍディスク１０８を検出し、図５に示すようにディスク挿排部１００の幅方向の一端部１００ａを通過する通常８ｃｍディスク１０９がプッシュスイッチ１０６ｂに検出されるときに、通常８ｃｍディスク１０９を検出せず、図６に示すように１２ｃｍアダプタ１１０がプッシュスイッチ１０６ｂに検出されるときに、１２ｃｍアダプタ１１０を検出しない位置に配置され、光検出手段としての接触検出時光検出手段を構成している。
【０１２９】
なお、通常１２ｃｍディスク１０７（図３参照）は、小データエリア１２ｃｍディスク１０８（図４参照）のデータエリア１０８ａ（図４参照）より広いデータエリアを有しているので、受光素子１０５ｂは、図４に示すように小データエリア１２ｃｍディスク１０８がプッシュスイッチ１０６ｂに検出されるときに、小データエリア１２ｃｍディスク１０８を検出する位置に配置される場合、図３に示すように通常１２ｃｍディスク１０７がプッシュスイッチ１０６ｂに検出されるときに、通常１２ｃｍディスク１０７を検出するようになっている。
【０１３０】
また、図７に示す透明１２ｃｍディスク１１１は全体が透明であるので、受光素子１０５ｂは、図３に示すように通常１２ｃｍディスク１０７がプッシュスイッチ１０６ｂに検出されるときに、通常１２ｃｍディスク１０７を検出する位置に配置される場合、図７に示すように透明１２ｃｍディスク１１１がプッシュスイッチ１０６ｂに検出されるときに、透明１２ｃｍディスク１１１を検出しないようになっている。
【０１３１】
また、プッシュスイッチ１０６ｂは、挿入された通常１２ｃｍディスク１０７（図３参照）の外周とレバー部材１０４の軸部１０４ａが接触したときのレバー部材１０４の矢印２０４（図１参照）の示す方向の最大変位を検出する位置に設けられている場合、図８に示すようにディスク挿排部１００の幅方向の中央部１００ｂを通過する通常８ｃｍディスク１０９や、図９に示すようにディスク挿排部１００の幅方向の他端部１００ｃを通過する通常８ｃｍディスク１０９を検出しないようになっている。
【０１３２】
また、受光素子１０５ｃは、ディスクに光が遮断されることによって通過するディスクを検出する光検出手段としての通過ディスク光検出手段を構成しており、受光素子１０５ｂ及び受光素子１０５ｃは、図１０から図１２までに示すように通常１２ｃｍディスク１０７、小データエリア１２ｃｍディスク１０８、及び、１２ｃｍアダプタ１１０が、ディスク挿排部１００に挿入されて、最初に受光素子１０５ｃに検出されるときに受光素子１０５ｂに検出され、図１３に示すようにディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されている。
【０１３３】
なお、図８に示すディスク挿排部１００の幅方向の中央部１００ｂを通過する通常８ｃｍディスク１０９は、図１１に示すディスク挿排部１００を通過する小データエリア１２ｃｍディスク１０８のデータエリア１０８ｂと軌跡が略同一であるので、図８に示すように、ディスク挿排部１００の幅方向の中央部１００ｂを通過する通常８ｃｍディスク１０９も、小データエリア１２ｃｍディスク１０８（図１１参照）と同様に、ディスク挿排部１００に挿入されて、最初に受光素子１０５ｃに検出されるときに受光素子１０５ｂに検出されるようになっている。
【０１３４】
また、透明１２ｃｍディスク１１１は、透明であるので、受光素子１０５ｃに検出されることがないようになっている。
【０１３５】
また、受光素子１０５ｄは、ディスクに光が遮断されることによって通過するディスクを検出する光検出手段としてのディスク通過時光検出手段を構成しており、受光素子１０５ｄ及び受光素子１０５ｃは、図１４及び図１５に示すように、通常１２ｃｍディスク１０７及び１２ｃｍアダプタ１１０が、ディスク挿排部１００に挿入されて、最初に受光素子１０５ｄに検出されるときに受光素子１０５ｃに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すようにディスク挿排部１００の幅方向の他端部１００ｃを通過する通常８ｃｍディスク１０９が、ディスク挿排部１００に挿入されて、最初に受光素子１０５ｄに検出されるときに受光素子１０５ｃに検出されない位置に配置されている。
【０１３６】
なお、透明１２ｃｍディスク１１１は、透明であるので、受光素子１０５ｄに検出されることがないようになっている。
【０１３７】
また、レバー部材１０４及びプッシュスイッチ１０６ａは、ディスクとの接触によって通過するディスクを検出するディスク通過時接触検出手段を構成しており、レバー部材１０４の軸部１０４ａ及び受光素子１０５ｄは、図１４及び図１５に示すように、通常１２ｃｍディスク１０７及び１２ｃｍアダプタ１１０が、ディスク挿排部１００に挿入されて、最初に受光素子１０５ｄに検出されるときにプッシュスイッチ１０６ａに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すように、ディスク挿排部１００の幅方向の他端部１００ｃを通過する通常８ｃｍディスク１０９が、ディスク挿排部１００に挿入されて、最初に受光素子１０５ｄに検出されるときにプッシュスイッチ１０６ａに検出されない位置に配置されている。
【０１３８】
なお、透明１２ｃｍディスク１１１は、透明であるので、上述したように受光素子１０５ｄに検出されることがないようになっている。
【０１３９】
また、受光素子１０５ａは、ディスクに光が遮断されることによって通過するディスクを検出し、ディスク挿排部１００を通過する通常８ｃｍディスク１０９のうち図５に示すように受光素子１０５ｂによって検出されない通常８ｃｍディスク１０９を少なくとも検出する位置に配置される光検出手段としての非検出ディスク光検出手段を構成しており、レバー部材１０４の軸部１０４ａ、受光素子１０５ａ、受光素子１０５ｂ、及び、受光素子１０５ｄは、図３、図４、図５、図６及び図９に示すように、通常１２ｃｍディスク１０７、小データエリア１２ｃｍディスク１０８、ディスク挿排部１００の幅方向の一端部１００ａを通過する通常８ｃｍディスク１０９、１２ｃｍアダプタ１１０、及び、ディスク挿排部１００の幅方向の他端部１００ｃを通過する通常８ｃｍディスク１０９が、ディスク挿排部１００に挿入されて、受光素子１０５ａ及び受光素子１０５ｂの少なくとも一方に検出されて、受光素子１０５ａ及び受光素子１０５ｂの双方に検出されなくなる以前に、受光素子１０５ｄ及びプッシュスイッチ１０６ａの少なくとも一方に検出され、図８に示すように、ディスク挿排部１００の幅方向の中央部１００ｂを通過する通常８ｃｍディスク１０９が、ディスク挿排部１００に挿入されて、受光素子１０５ａ及び受光素子１０５ｂの少なくとも一方に検出されて、受光素子１０５ａ及び受光素子１０５ｂの双方に検出されなくなる以前に、受光素子１０５ｄ及びプッシュスイッチ１０６ａの双方に検出されない位置に配置されている。
【０１４０】
なお、透明１２ｃｍディスク１１１は、透明であるので、受光素子１０５ａ及び受光素子１０５ｂに検出されることがないようになっている。
【０１４１】
また、光検出手段、即ち、受光素子１０５ａ、１０５ｂ、１０５ｃ、１０５ｄは、図３から図６までに示すように、プッシュスイッチ１０６ｂに検出されるときの通常１２ｃｍディスク１０７、小データエリア１２ｃｍディスク１０８、通常８ｃｍディスク１０９、及び、１２ｃｍアダプタ１１０を、受光素子１０５ａ、１０５ｂ、１０５ｃ、１０５ｄの何れかが検出する位置に配置されている。
【０１４２】
また、受光素子１０５ａは、ローラ部材１０３よりディスクの挿入方向上流側であり、ディスク挿排部１００に挿入された通常１２ｃｍディスク１０７（図３参照）、ディスク挿排部１００の幅方向の一端部１００ａを通過する通常８ｃｍディスク１０９（図５参照）、及び、ディスク挿排部１００の幅方向の中央部１００ｂを通過する通常８ｃｍディスク１０９（図８参照）がローラ部材１０３に接触する前に、通常１２ｃｍディスク１０７（図３参照）、ディスク挿排部１００の幅方向の一端部１００ａを通過する通常８ｃｍディスク１０９（図５参照）、及び、ディスク挿排部１００の幅方向の中央部１００ｂを通過する通常８ｃｍディスク１０９（図８参照）を検出する位置に配置されている。
【０１４３】
なお、１２ｃｍアダプタ１１０（図６参照）は、通常１２ｃｍディスク１０７（図３参照）と外径が略同一であるので、受光素子１０５ａは、図３に示すように、ディスク挿排部１００に挿入された通常１２ｃｍディスク１０７がローラ部材１０３に接触する前に、通常１２ｃｍディスク１０７を検出する位置に配置されている場合、図６に示すように、ディスク挿排部１００に挿入された１２ｃｍアダプタ１１０がローラ部材１０３に接触する前に、１２ｃｍアダプタ１１０を検出するようになっている。
【０１４４】
また、受光素子１０５ｂは、図９に示すように、ローラ部材１０３よりディスクの挿入方向上流側であり、ディスク挿排部１００に挿入され、ディスク挿排部１００の幅方向の他端部１００ｃを通過する通常８ｃｍディスク１０９がローラ部材１０３に接触する前に、通常８ｃｍディスク１０９を検出する位置に配置されている。
【０１４５】
また、図８、図１０、図１１及び図１３に示すように、受光素子１０５ｃは、ディスク挿排部１００の幅方向の中央部１００ｂを通過する通常８ｃｍディスク１０９、通常１２ｃｍディスク１０７、小データエリア１２ｃｍディスク１０８、及び、ディスク挿排部１００の幅方向の一端部１００ａを通過する通常８ｃｍディスク１０９がディスク挿排部１００から排出されるとき、ディスク挿排部１００の幅方向の中央部１００ｂを通過する通常８ｃｍディスク１０９、通常１２ｃｍディスク１０７、小データエリア１２ｃｍディスク１０８、及び、ディスク挿排部１００の幅方向の一端部１００ａを通過する通常８ｃｍディスク１０９を検出した後、ローラ部材１０３に接触中のディスク挿排部１００の幅方向の中央部１００ｂを通過する通常８ｃｍディスク１０９、通常１２ｃｍディスク１０７、小データエリア１２ｃｍディスク１０８、及び、ディスク挿排部１００の幅方向の一端部１００ａを通過する通常８ｃｍディスク１０９を検出しなくなる位置に配置されている。
【０１４６】
なお、１２ｃｍアダプタ１１０（図１２参照）は、通常１２ｃｍディスク１０７（図１０参照）と外径が略同一であるので、受光素子１０５ｃは、図１０に示すように、通常１２ｃｍディスク１０７がディスク挿排部１００から排出されるとき、通常１２ｃｍディスク１０７を検出した後、ローラ部材１０３に接触中の通常１２ｃｍディスク１０７を検出しなくなる位置に配置されている場合、図１２に示すように、１２ｃｍアダプタ１１０がディスク挿排部１００から排出されるとき、１２ｃｍアダプタ１１０を検出した後、ローラ部材１０３に接触中の１２ｃｍアダプタ１１０を検出しなくなるようになっている。
【０１４７】
また、図９に示すように、受光素子１０５ｄは、ディスク挿排部１００の幅方向の他端部１００ｃを通過する通常８ｃｍディスク１０９がディスク挿排部１００から排出されるとき、通常８ｃｍディスク１０９を検出した後、ローラ部材１０３に接触中の通常８ｃｍディスク１０９を検出しなくなる位置に配置されている。
【０１４８】
また、図１６に示すように、レバー部材１０４の軸部１０４ａは、透明１２ｃｍディスク１１１がディスク挿排部１００から排出されるとき、プッシュスイッチ１０６ａが透明１２ｃｍディスク１１１を検出した後、ローラ部材１０３に接触中の透明１２ｃｍディスク１１１を検出しなくなる位置に配置されている。
【０１４９】
なお、ディスクガイド部材１０２と、ローラ部材１０３と、複数の受光素子１０５ａ、１０５ｂ、１０５ｃ、１０５ｄと、受光素子１０５ａ、１０５ｂ、１０５ｃ、１０５ｄと対をなす複数の発光素子と、レバー部材１０４と、プッシュスイッチ１０６ａ、１０６ｂと、図示していない制御装置とは、ディスク識別装置や、ディスク挿排装置を構成している。ここで、制御装置は、受光素子１０５ａ、１０５ｂ、１０５ｃ、１０５ｄや、プッシュスイッチ１０６ａ、１０６ｂからの出力に基づいて、ディスク挿排部１００を通過するディスクの種類を識別する識別手段や、識別手段の識別結果に基づいて、ローラ部材１０３によるディスクの挿排動作を制御する制御手段を構成している。
【０１５０】
そして、ローラ部材１０３は、挿入中のディスクとの接触が外れる前に制御装置によるディスクの識別が終了する位置に配置されている。
【０１５１】
次に、本実施の形態に係るディスク記録再生装置の動作について説明する。なお、以下においては、ディスク記録再生装置が、通常１２ｃｍディスク１０７と、小データエリア１２ｃｍディスク１０８と、中心部に通常８ｃｍディスク１０９を保持した１２ｃｍアダプタ１１０とをローディング完了の位置まで搬送し、１２ｃｍアダプタ１１０と、８ｃｍディスク１０９と、透明１２ｃｍディスク１１１とを強制的に排出する場合の動作について説明する。
（１）通常１２ｃｍディスク１０７に対する動作
【０１５２】
まず、通常１２ｃｍディスク１０７に対するディスク記録再生装置の動作について説明する。なお、本実施の形態に係るディスク記録再生装置は、中心部に通常８ｃｍディスク１０９を保持した１２ｃｍアダプタ１１０を通常１２ｃｍディスク１０７と同様に取り扱うので、中心部に８ｃｍディスク１０９を保持した１２ｃｍアダプタ１１０に対するディスク記録再生装置の動作については、説明を省略する。
【０１５３】
通常１２ｃｍディスク１０７が利用者によってディスク記録再生装置のディスク挿排部１００の内部に挿入されると、上述したように受光素子１０５ａは、ローラ部材１０３よりディスクの挿入方向上流側であり、ディスク挿排部１００に挿入された通常１２ｃｍディスク１０７がローラ部材１０３に接触する前に、通常１２ｃｍディスク１０７を検出する位置に配置されているので、図１７に示すように受光素子１０５ａの出力がＨｉになる。
【０１５４】
ディスク記録再生装置は、通常１２ｃｍディスク１０７が利用者によってディスク挿排部１００の内部に挿入されて、受光素子１０５ａの出力がＨｉになると、動力源の動作を開始させて、ローラ部材１０３の回転を開始する。
【０１５５】
通常１２ｃｍディスク１０７が利用者によって更に挿入されると、通常１２ｃｍディスク１０７とローラ部材１０３が接触することによって、通常１２ｃｍディスク１０７のオートローディングが開始されて、通常１２ｃｍディスク１０７は図１０に示す位置まで搬送されるとともに、図１７に示すように受光素子１０５ｂ、１０５ｃの出力が順にＨｉになる。
【０１５６】
ここで、上述したように、受光素子１０５ｂ及び受光素子１０５ｃは、図１０から図１２までに示すように通常１２ｃｍディスク１０７、小データエリア１２ｃｍディスク１０８、及び、１２ｃｍアダプタ１１０が、ディスク挿排部１００に挿入されて、最初に受光素子１０５ｃに検出されるときに受光素子１０５ｂに検出され、図１３に示すようにディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されている。
【０１５７】
したがって、制御装置は、受光素子１０５ｃの出力がＨｉになった時に受光素子１０５ｂの出力がＨｉであるので、通常１２ｃｍディスク１０７、小データエリア１２ｃｍディスク１０８、ディスク挿排部１００の幅方向の中央部１００ｂを通過する通常８ｃｍディスク１０９、及び、１２ｃｍアダプタ１１０の何れかがディスク挿排部１００の内部に挿入されたと識別し、ローラ部材１０３に通常１２ｃｍディスク１０７のオートローディングを継続させる。
【０１５８】
通常１２ｃｍディスク１０７がローラ部材１０３によって更に挿入されると、図１７に示すように、プッシュスイッチ１０６ａ、受光素子１０５ｄの出力は、通常１２ｃｍディスク１０７が図１４に示す位置まで搬送される間に、順にＨｉになる。
【０１５９】
ここで、上述したように、レバー部材１０４の軸部１０４ａ及び受光素子１０５ｄは、図１４及び図１５に示すように、通常１２ｃｍディスク１０７及び１２ｃｍアダプタ１１０が、ディスク挿排部１００に挿入されて、最初に受光素子１０５ｄに検出されるときにプッシュスイッチ１０６ａに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すように、ディスク挿排部１００の幅方向の他端部１００ｃを通過する通常８ｃｍディスク１０９が、ディスク挿排部１００に挿入されて、最初に受光素子１０５ｄに検出されるときにプッシュスイッチ１０６ａに検出されない位置に配置されている。
【０１６０】
したがって、制御装置は、受光素子１０５ｄの出力がＨｉになった時にプッシュスイッチ１０６ａの出力がＨｉであるので、通常１２ｃｍディスク１０７か、１２ｃｍアダプタ１１０の何れかがディスク挿排部１００の内部に挿入されたと識別し、ローラ部材１０３に通常１２ｃｍディスク１０７のオートローディングを継続させる。
【０１６１】
また、上述したように、受光素子１０５ｄ及び受光素子１０５ｃは、図１４及び図１５に示すように、通常１２ｃｍディスク１０７及び１２ｃｍアダプタ１１０が、ディスク挿排部１００に挿入されて、最初に受光素子１０５ｄに検出されるときに受光素子１０５ｃに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すようにディスク挿排部１００の幅方向の他端部１００ｃを通過する通常８ｃｍディスク１０９が、ディスク挿排部１００に挿入されて、最初に受光素子１０５ｄに検出されるときに受光素子１０５ｃに検出されない位置に配置されている。
【０１６２】
したがって、制御装置は、受光素子１０５ｄの出力がＨｉになった時に受光素子１０５ｃの出力がＨｉであるということから、ディスク挿排部１００の幅方向の他端部１００ｃを通過する通常８ｃｍディスク１０９以外のディスクがディスク挿排部１００の内部に挿入されたということを判断することもできる。
【０１６３】
通常１２ｃｍディスク１０７がローラ部材１０３によって更に挿入されると、図１７に示すように、プッシュスイッチ１０６ｂの出力は、通常１２ｃｍディスク１０７が図３に示す位置まで搬送される間にＨｉになる。
【０１６４】
ここで、上述したように、受光素子１０５ｂは、図４に示すように小データエリア１２ｃｍディスク１０８がプッシュスイッチ１０６ｂに検出されるときに、小データエリア１２ｃｍディスク１０８を検出し、図５に示すようにディスク挿排部１００の幅方向の一端部１００ａを通過する通常８ｃｍディスク１０９がプッシュスイッチ１０６ｂに検出されるときに、通常８ｃｍディスク１０９を検出せず、図６に示すように１２ｃｍアダプタ１１０がプッシュスイッチ１０６ｂに検出されるときに、１２ｃｍアダプタ１１０を検出しない位置に配置されている。
【０１６５】
したがって、制御装置は、プッシュスイッチ１０６ｂの出力がＨｉになった時に受光素子１０５ｂの出力がＨｉであるので、通常１２ｃｍディスク１０７か、小データエリア１２ｃｍディスク１０８の何れかがディスク挿排部１００の内部に挿入されたと識別し、ローラ部材１０３に通常１２ｃｍディスク１０７のオートローディングを継続させて通常１２ｃｍディスク１０７をローディング完了の位置まで搬送する。
【０１６６】
なお、通常１２ｃｍディスク１０７のローディング完了の検出は、図示していない検出手段によって行う。
【０１６７】
また、ディスク記録再生装置は、通常１２ｃｍディスク１０７を内部から排出する場合、通常１２ｃｍディスク１０７がローラ部材１０３に接触する前に、図示していない検出手段によって、通常１２ｃｍディスク１０７がディスク収納部（図示していない。）、又は、ディスク記録再生部（図示していない。）から排出されたことを検出する。
【０１６８】
ディスク記録再生装置は、通常１２ｃｍディスク１０７がディスク収納部（図示していない。）、又は、ディスク記録再生部（図示していない。）から排出されたことを検出すると、動力源の動作を開始することによってローラ部材１０３の回転を開始する。
【０１６９】
通常１２ｃｍディスク１０７が図示していない機構によって更に排出されると、通常１２ｃｍディスク１０７とローラ部材１０３とが接触することによって、通常１２ｃｍディスク１０７のオートイジェクトが開始されて、通常１２ｃｍディスク１０７は図１０に示す位置まで搬送される。
【０１７０】
通常１２ｃｍディスク１０７が図１０に示す位置まで搬送されると、上述したように受光素子１０５ｃは、通常１２ｃｍディスク１０７がディスク挿排部１００から排出されるとき、通常１２ｃｍディスク１０７を検出した後、ローラ部材１０３に接触中の通常１２ｃｍディスク１０７を検出しなくなる位置に配置されているので、受光素子１０５ｃの出力はＬｏになる。
【０１７１】
したがって、制御装置は、受光素子１０５ｃの出力がＬｏになったことを受けて、動力源の動作を停止し、通常１２ｃｍディスク１０７のオートイジェクトを完了する。
【０１７２】
図１０に示すように、通常１２ｃｍディスク１０７は、受光素子１０５ｃの出力がＬｏになったとき、ローラ部材１０３との接触が外れていないので、ディスク記録再生装置から落下することが防止されるとともに、利用者の操作によって再度オートローディングを開始することも可能である。
（２）小データエリア１２ｃｍディスク１０８に対する動作
【０１７３】
次に、小データエリア１２ｃｍディスク１０８に対するディスク記録再生装置の動作について説明する。
【０１７４】
小データエリア１２ｃｍディスク１０８は、上述したように、８ｃｍのみのデータエリア１０８ａ（図４参照）を有し、データエリア１０８ａより外周部分は透明であるので、小データエリア１２ｃｍディスク１０８が利用者によってディスク記録再生装置のディスク挿排部１００の内部に挿入されると、小データエリア１２ｃｍディスク１０８のデータエリア１０８ａより外周部分では発光素子から受光素子への光が通過するため、小データエリア１２ｃｍディスク１０８とローラ部材１０３とが接触する前の各受光素子の出力はＬｏである。
【０１７５】
小データエリア１２ｃｍディスク１０８とローラ部材１０３とが接触しても、データエリア１０８ａが上述したようにローラ部材１０３よりディスクの挿入方向上流側に配置されている受光素子１０５ａの位置を通過するまでは、動力源の動作は開始されず、オートローディングは開始されない。
【０１７６】
ディスク記録再生装置は、小データエリア１２ｃｍディスク１０８が利用者によってディスク挿排部１００の内部に挿入されて、図１８に示すように、受光素子１０５ａの出力がＨｉになると、動力源の動作を開始させて、ローラ部材１０３の回転を開始する。
【０１７７】
ローラ部材１０３の回転が開始されると、小データエリア１２ｃｍディスク１０８とローラ部材１０３とは既に接触しているので、小データエリア１２ｃｍディスク１０８のオートローディングが開始されるとともに、プッシュスイッチ１０６ａ、受光素子１０５ｂ、１０５ｃの順で出力がＨｉになる。
【０１７８】
ここで、上述したように、受光素子１０５ｂ及び受光素子１０５ｃは、図１０から図１２までに示すように通常１２ｃｍディスク１０７、小データエリア１２ｃｍディスク１０８、及び、１２ｃｍアダプタ１１０が、ディスク挿排部１００に挿入されて、最初に受光素子１０５ｃに検出されるときに受光素子１０５ｂに検出され、図１３に示すようにディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されている。
【０１７９】
したがって、制御装置は、受光素子１０５ｃの出力がＨｉになった時に受光素子１０５ｂの出力がＨｉであるので、通常１２ｃｍディスク１０７、小データエリア１２ｃｍディスク１０８、ディスク挿排部１００の幅方向の中央部１００ｂを通過する通常８ｃｍディスク１０９、及び、１２ｃｍアダプタ１１０の何れかがディスク挿排部１００の内部に挿入されたと識別し、ローラ部材１０３に小データエリア１２ｃｍディスク１０８のオートローディングを継続させる。
【０１８０】
小データエリア１２ｃｍディスク１０８がローラ部材１０３によって更に挿入されて、図４に示す位置まで搬送されると、図１８に示すように、プッシュスイッチ１０６ｂの出力はＨｉになる。
【０１８１】
ここで、上述したように、受光素子１０５ｂは、図４に示すように小データエリア１２ｃｍディスク１０８がプッシュスイッチ１０６ｂに検出されるときに、小データエリア１２ｃｍディスク１０８を検出し、図５に示すようにディスク挿排部１００の幅方向の一端部１００ａを通過する通常８ｃｍディスク１０９がプッシュスイッチ１０６ｂに検出されるときに、通常８ｃｍディスク１０９を検出せず、図６に示すように１２ｃｍアダプタ１１０がプッシュスイッチ１０６ｂに検出されるときに、１２ｃｍアダプタ１１０を検出しない位置に配置されている。
【０１８２】
したがって、制御装置は、プッシュスイッチ１０６ｂの出力がＨｉになった時に受光素子１０５ｂの出力がＨｉであるので、通常１２ｃｍディスク１０７か、小データエリア１２ｃｍディスク１０８の何れかがディスク挿排部１００の内部に挿入されたと識別し、ローラ部材１０３に小データエリア１２ｃｍディスク１０８のオートローディングを継続させて小データエリア１２ｃｍディスク１０８をローディング完了の位置まで搬送する。
【０１８３】
なお、小データエリア１２ｃｍディスク１０８のローディング完了の検出は、上述した通常１２ｃｍディスク１０７の場合と同様に図示していない検出手段によって行う。
【０１８４】
また、ディスク記録再生装置は、小データエリア１２ｃｍディスク１０８を内部から排出する場合、小データエリア１２ｃｍディスク１０８がローラ部材１０３に接触する前に、図示していない検出手段によって、小データエリア１２ｃｍディスク１０８がディスク収納部（図示していない。）、又は、ディスク記録再生部（図示していない。）から排出されたことを検出する。
【０１８５】
ディスク記録再生装置は、小データエリア１２ｃｍディスク１０８がディスク収納部（図示していない。）、又は、ディスク記録再生部（図示していない。）から排出されたことを検出すると、動力源の動作を開始することによってローラ部材１０３の回転を開始する。
【０１８６】
小データエリア１２ｃｍディスク１０８が図示していない機構によって更に排出されると、小データエリア１２ｃｍディスク１０８とローラ部材１０３とが接触することによって、小データエリア１２ｃｍディスク１０８のオートイジェクトが開始されて、小データエリア１２ｃｍディスク１０８は図１１に示す位置まで搬送される。
【０１８７】
小データエリア１２ｃｍディスク１０８が図１１に示す位置まで搬送されると、上述したように受光素子１０５ｃは、小データエリア１２ｃｍディスク１０８がディスク挿排部１００から排出されるとき、小データエリア１２ｃｍディスク１０８を検出した後、ローラ部材１０３に接触中の小データエリア１２ｃｍディスク１０８を検出しなくなる位置に配置されているので、受光素子１０５ｃの出力はＬｏになる。
【０１８８】
したがって、制御装置は、受光素子１０５ｃの出力がＬｏになったことを受けて、動力源の動作を停止し、小データエリア１２ｃｍディスク１０８のオートイジェクトを完了する。
【０１８９】
図１１に示すように、小データエリア１２ｃｍディスク１０８は、受光素子１０５ｃの出力がＬｏになったとき、ローラ部材１０３との接触が外れていないので、ディスク記録再生装置から落下することが防止されるとともに、利用者の操作によって再度オートローディングを開始することも可能である。
（３）ディスク挿排部１００の幅方向の一端部１００ａを通過する通常８ｃｍディスク１０９に対する動作
【０１９０】
次に、ディスク挿排部１００の幅方向の一端部１００ａを通過する通常８ｃｍディスク１０９に対するディスク記録再生装置の動作について説明する。
【０１９１】
通常８ｃｍディスク１０９が利用者によってディスク記録再生装置のディスク挿排部１００の幅方向の一端部１００ａからディスク挿排部１００の内部に挿入されると、上述したように受光素子１０５ａは、ローラ部材１０３よりディスクの挿入方向上流側であり、ディスク挿排部１００に挿入され、ディスク挿排部１００の幅方向の一端部１００ａを通過する通常８ｃｍディスク１０９がローラ部材１０３に接触する前に、通常８ｃｍディスク１０９を検出する位置に配置されているので、図１９に示すように受光素子１０５ａの出力がＨｉになる。
【０１９２】
ディスク記録再生装置は、通常８ｃｍディスク１０９が利用者によってディスク挿排部１００の幅方向の一端部１００ａからディスク挿排部１００の内部に挿入されて、受光素子１０５ａの出力がＨｉになると、動力源の動作を開始させて、ローラ部材１０３の回転を開始する。
【０１９３】
通常８ｃｍディスク１０９が利用者によって更に挿入されると、通常８ｃｍディスク１０９とローラ部材１０３とが接触することによって、通常８ｃｍディスク１０９のオートローディングが開始されて、通常８ｃｍディスク１０９は図１３に示す位置まで搬送されるとともに、図１９に示すようにプッシュスイッチ１０６ａ、受光素子１０５ｃの出力が順にＨｉになる。
【０１９４】
ここで、上述したように、受光素子１０５ｂ及び受光素子１０５ｃは、図１０から図１２までに示すように通常１２ｃｍディスク１０７、小データエリア１２ｃｍディスク１０８、及び、１２ｃｍアダプタ１１０が、ディスク挿排部１００に挿入されて、最初に受光素子１０５ｃに検出されるときに受光素子１０５ｂに検出され、図１３に示すようにディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されている。
【０１９５】
したがって、制御装置は、受光素子１０５ｃの出力がＨｉになった時に受光素子１０５ｂの出力がＬｏであるので、ディスク挿排部１００の幅方向の一端部１００ａを通過する通常８ｃｍディスク１０９がディスク挿排部１００の内部に挿入されたと識別し、ローラ部材１０３に通常８ｃｍディスク１０９のオートローディングを停止させるとともに駆動源の回転方向を逆転することで通常８ｃｍディスク１０９のオートイジェクトを開始させる。
【０１９６】
通常８ｃｍディスク１０９のオートイジェクトが開始されて、通常８ｃｍディスク１０９が搬送されると、上述したように受光素子１０５ｃは、ディスク挿排部１００の幅方向の一端部１００ａを通過する通常８ｃｍディスク１０９がディスク挿排部１００から排出されるとき、通常８ｃｍディスク１０９を検出した後、ローラ部材１０３に接触中の通常８ｃｍディスク１０９を検出しなくなる位置に配置されているので、受光素子１０５ｃの出力がＬｏになる。
【０１９７】
したがって、制御装置は、受光素子１０５ｃの出力がＬｏになったことを受けて、動力源の動作を停止し、通常８ｃｍディスク１０９のオートイジェクトを完了する。
【０１９８】
図１３に示すように、通常８ｃｍディスク１０９は、受光素子１０５ｃの出力がＬｏになったとき、ローラ部材１０３との接触が外れていないので、ディスク記録再生装置から落下することが防止される。
（４）ディスク挿排部１００の幅方向の中央部１００ｂを通過する通常８ｃｍディスク１０９に対する動作
【０１９９】
次に、ディスク挿排部１００の幅方向の中央部１００ｂを通過する通常８ｃｍディスク１０９に対するディスク記録再生装置の動作について説明する。
【０２００】
通常８ｃｍディスク１０９が利用者によってディスク記録再生装置のディスク挿排部１００の幅方向の中央部１００ｂからディスク挿排部１００の内部に挿入されると、上述したように受光素子１０５ａは、ローラ部材１０３よりディスクの挿入方向上流側であり、ディスク挿排部１００に挿入され、ディスク挿排部１００の幅方向の中央部１００ｂを通過する通常８ｃｍディスク１０９がローラ部材１０３に接触する前に、通常８ｃｍディスク１０９を検出する位置に配置されているので、図２０に示すように受光素子１０５ａの出力がＨｉになる。
【０２０１】
ディスク記録再生装置は、通常８ｃｍディスク１０９が利用者によってディスク挿排部１００の幅方向の中央部１００ｂからディスク挿排部１００の内部に挿入されて、受光素子１０５ａの出力がＨｉになると、動力源の動作を開始させて、ローラ部材１０３の回転を開始する。
【０２０２】
通常８ｃｍディスク１０９が利用者によって更に挿入されると、通常８ｃｍディスク１０９とローラ部材１０３とが接触することによって、通常８ｃｍディスク１０９のオートローディングが開始されて、通常８ｃｍディスク１０９は図８に示す位置まで搬送されるとともに、図２０に示すように受光素子１０５ｂ、１０５ｃの出力が順にＨｉになる。
【０２０３】
ここで、上述したように、受光素子１０５ｂ及び受光素子１０５ｃは、図１０から図１２までに示すように通常１２ｃｍディスク１０７、小データエリア１２ｃｍディスク１０８、及び、１２ｃｍアダプタ１１０が、ディスク挿排部１００に挿入されて、最初に受光素子１０５ｃに検出されるときに受光素子１０５ｂに検出され、図１３に示すようにディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されている。
【０２０４】
したがって、制御装置は、受光素子１０５ｃの出力がＨｉになった時に受光素子１０５ｂの出力がＨｉであるので、ディスク挿排部１００の幅方向の一端部１００ａを通過する通常８ｃｍディスク１０９以外のディスクがディスク挿排部１００の内部に挿入されたと識別し、ローラ部材１０３に通常８ｃｍディスク１０９のオートローディングを継続させる。
【０２０５】
通常８ｃｍディスク１０９がローラ部材１０３によって更に挿入されると、通常８ｃｍディスク１０９の中心穴を介して発光素子から受光素子１０５ａへの光が通過するため、図２０に示すように、受光素子１０５ａの出力がＨｉからＬｏとなり、Ｌｏから再びＨｉとなった後、受光素子１０５ｂ、１０５ａの出力が順にＬｏになる。
【０２０６】
ここで、レバー部材１０４の軸部１０４ａ、受光素子１０５ａ、受光素子１０５ｂ、及び、受光素子１０５ｄは、図３、図４、図５、図６及び図９に示すように、通常１２ｃｍディスク１０７、小データエリア１２ｃｍディスク１０８、ディスク挿排部１００の幅方向の一端部１００ａを通過する通常８ｃｍディスク１０９、１２ｃｍアダプタ１１０、及び、ディスク挿排部１００の幅方向の他端部１００ｃを通過する通常８ｃｍディスク１０９が、ディスク挿排部１００に挿入されて、受光素子１０５ａ及び受光素子１０５ｂの少なくとも一方に検出されて、受光素子１０５ａ及び受光素子１０５ｂの双方に検出されなくなる以前に、受光素子１０５ｄ及びプッシュスイッチ１０６ａの少なくとも一方に検出され、図８に示すように、ディスク挿排部１００の幅方向の中央部１００ｂを通過する通常８ｃｍディスク１０９が、ディスク挿排部１００に挿入されて、受光素子１０５ａ及び受光素子１０５ｂの少なくとも一方に検出されて、受光素子１０５ａ及び受光素子１０５ｂの双方に検出されなくなる以前に、受光素子１０５ｄ及びプッシュスイッチ１０６ａの双方に検出されない位置に配置されている。
【０２０７】
したがって、制御装置は、図２０に示すようにディスク挿排部１００に挿入されて、受光素子１０５ａ及び受光素子１０５ｂの少なくとも一方に検出されて、受光素子１０５ａ及び受光素子１０５ｂの双方に検出されなくなる以前に、受光素子１０５ｄ及びプッシュスイッチ１０６ａの双方に検出されないので、ディスク挿排部１００の幅方向の中央部１００ｂを通過する通常８ｃｍディスク１０９がディスク挿排部１００の内部に挿入されたと識別し、ローラ部材１０３に通常８ｃｍディスク１０９のオートローディングを停止させるとともに駆動源の回転方向を逆転することで通常８ｃｍディスク１０９のオートイジェクトを開始させる。
【０２０８】
通常８ｃｍディスク１０９のオートイジェクトが開始されて、通常８ｃｍディスク１０９が図８に示す位置まで搬送されると、上述したように受光素子１０５ｃは、ディスク挿排部１００の幅方向の中央部１００ｂを通過する通常８ｃｍディスク１０９がディスク挿排部１００から排出されるとき、通常８ｃｍディスク１０９を検出した後、ローラ部材１０３に接触中の通常８ｃｍディスク１０９を検出しなくなる位置に配置されているので、受光素子１０５ｃの出力がＬｏになる。
【０２０９】
したがって、制御装置は、受光素子１０５ｃの出力がＬｏになったことを受けて、動力源の動作を停止し、通常８ｃｍディスク１０９のオートイジェクトを完了する。
【０２１０】
図８に示すように、通常８ｃｍディスク１０９は、受光素子１０５ｃの出力がＬｏになったとき、ローラ部材１０３との接触が外れていないので、ディスク記録再生装置から落下することが防止される。
（５）ディスク挿排部１００の幅方向の他端部１００ｃを通過する通常８ｃｍディスク１０９に対する動作
【０２１１】
次に、ディスク挿排部１００の幅方向の他端部１００ｃを通過する通常８ｃｍディスク１０９に対するディスク記録再生装置の動作について説明する。
【０２１２】
通常８ｃｍディスク１０９が利用者によってディスク記録再生装置のディスク挿排部１００の幅方向の他端部１００ｃからディスク挿排部１００の内部に挿入されると、上述したように受光素子１０５ｂは、ローラ部材１０３よりディスクの挿入方向上流側であり、ディスク挿排部１００に挿入され、ディスク挿排部１００の幅方向の他端部１００ｃを通過する通常８ｃｍディスク１０９がローラ部材１０３に接触する前に、通常８ｃｍディスク１０９を検出する位置に配置されているので、図２１に示すように受光素子１０５ｂの出力がＨｉになる。
【０２１３】
ディスク記録再生装置は、通常８ｃｍディスク１０９が利用者によってディスク挿排部１００の幅方向の他端部１００ｃからディスク挿排部１００の内部に挿入されて、受光素子１０５ｂの出力がＨｉになると、動力源の動作を開始させて、ローラ部材１０３の回転を開始する。
【０２１４】
通常８ｃｍディスク１０９が利用者によって更に挿入されると、通常８ｃｍディスク１０９とローラ部材１０３とが接触することによって、通常８ｃｍディスク１０９のオートローディングが開始されて、通常８ｃｍディスク１０９は図９に示す位置まで搬送されるとともに、図２１に示すように受光素子１０５ａ、１０５ｄの出力が順にＨｉになる。
【０２１５】
ここで、上述したように、受光素子１０５ｄ及び受光素子１０５ｃは、図１４及び図１５に示すように、通常１２ｃｍディスク１０７及び１２ｃｍアダプタ１１０が、ディスク挿排部１００に挿入されて、最初に受光素子１０５ｃに検出されるときに受光素子１０５ｄに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すようにディスク挿排部１００の幅方向の他端部１００ｃを通過する通常８ｃｍディスク１０９が、ディスク挿排部１００に挿入されて、最初に受光素子１０５ｄに検出されるときに受光素子１０５ｃに検出されない位置に配置されている。
【０２１６】
また、上述したように、レバー部材１０４の軸部１０４ａ及び受光素子１０５ｄは、図１４及び図１５に示すように、通常１２ｃｍディスク１０７及び１２ｃｍアダプタ１１０が、ディスク挿排部１００に挿入されて、最初にプッシュスイッチ１０６ａに検出されるときに受光素子１０５ｄに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すように、ディスク挿排部１００の幅方向の他端部１００ｃを通過する通常８ｃｍディスク１０９が、ディスク挿排部１００に挿入されて、最初に受光素子１０５ｄに検出されるときにプッシュスイッチ１０６ａに検出されない位置に配置されている。
【０２１７】
したがって、制御装置は、受光素子１０５ｄの出力がＨｉになった時に受光素子１０５ｃ及びプッシュスイッチ１０６ａの出力がＬｏであるので、ディスク挿排部１００の幅方向の他端部１００ｃを通過する通常８ｃｍディスク１０９がディスク挿排部１００の内部に挿入されたと識別し、ローラ部材１０３に通常８ｃｍディスク１０９のオートローディングを停止させるとともに駆動源の回転方向を逆転することで通常８ｃｍディスク１０９のオートイジェクトを開始させる。
【０２１８】
通常８ｃｍディスク１０９のオートイジェクトが開始されて、通常８ｃｍディスク１０９が搬送されると、上述したように受光素子１０５ｄは、ディスク挿排部１００の幅方向の他端部１００ｃを通過する通常８ｃｍディスク１０９がディスク挿排部１００から排出されるとき、通常８ｃｍディスク１０９を検出した後、ローラ部材１０３に接触中の通常８ｃｍディスク１０９を検出しなくなる位置に配置されているので、受光素子１０５ｄの出力がＬｏになる。
【０２１９】
したがって、制御装置は、受光素子１０５ｄの出力がＬｏになったことを受けて、動力源の動作を停止し、通常８ｃｍディスク１０９のオートイジェクトを完了する。
【０２２０】
図９に示すように、通常８ｃｍディスク１０９は、受光素子１０５ｄの出力がＬｏになったとき、ローラ部材１０３との接触が外れていないので、ディスク記録再生装置から落下することが防止される。
（６）１２ｃｍアダプタ１１０に対する動作
【０２２１】
次に、１２ｃｍアダプタ１１０に対するディスク記録再生装置の動作について説明する。
【０２２２】
１２ｃｍアダプタ１１０が利用者によってディスク記録再生装置のディスク挿排部１００の内部に挿入されると、上述したように受光素子１０５ａは、ローラ部材１０３よりディスクの挿入方向上流側であり、ディスク挿排部１００に挿入された１２ｃｍアダプタ１１０がローラ部材１０３に接触する前に、１２ｃｍアダプタ１１０を検出する位置に配置されているので、図２２に示すように受光素子１０５ａの出力がＨｉになる。
【０２２３】
ディスク記録再生装置は、１２ｃｍアダプタ１１０が利用者によってディスク挿排部１００の内部に挿入されて、受光素子１０５ａの出力がＨｉになると、動力源の動作を開始させて、ローラ部材１０３の回転を開始する。
【０２２４】
１２ｃｍアダプタ１１０が利用者によって更に挿入されると、１２ｃｍアダプタ１１０とローラ部材１０３が接触することによって、１２ｃｍアダプタ１１０のオートローディングが開始されて、１２ｃｍアダプタ１１０は図１２に示す位置まで搬送されるとともに、図２２に示すように受光素子１０５ｂ、１０５ｃの出力が順にＨｉになる。
【０２２５】
ここで、上述したように、受光素子１０５ｂ及び受光素子１０５ｃは、図１０から図１２までに示すように通常１２ｃｍディスク１０７、小データエリア１２ｃｍディスク１０８、及び、１２ｃｍアダプタ１１０が、ディスク挿排部１００に挿入されて、最初に受光素子１０５ｃに検出されるときに受光素子１０５ｂに検出され、図１３に示すようにディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されている。
【０２２６】
したがって、制御装置は、受光素子１０５ｃの出力がＨｉになった時に受光素子１０５ｂの出力がＨｉであるので、通常１２ｃｍディスク１０７、小データエリア１２ｃｍディスク１０８、ディスク挿排部１００の幅方向の中央部１００ｂを通過する通常８ｃｍディスク１０９、及び、１２ｃｍアダプタ１１０の何れかがディスク挿排部１００の内部に挿入されたと識別し、ローラ部材１０３に１２ｃｍアダプタ１１０のオートローディングを継続させる。
【０２２７】
１２ｃｍアダプタ１１０がローラ部材１０３によって更に挿入されると、図２２に示すように、プッシュスイッチ１０６ａ、受光素子１０５ｄの出力は、１２ｃｍアダプタ１１０が図１５に示す位置まで搬送される間に、順にＨｉになる。
【０２２８】
ここで、上述したように、レバー部材１０４の軸部１０４ａ及び受光素子１０５ｄは、図１４及び図１５に示すように、通常１２ｃｍディスク１０７及び１２ｃｍアダプタ１１０が、ディスク挿排部１００に挿入されて、最初に受光素子１０５ｄに検出されるときにプッシュスイッチ１０６ａに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すように、ディスク挿排部１００の幅方向の他端部１００ｃを通過する通常８ｃｍディスク１０９が、ディスク挿排部１００に挿入されて、最初に受光素子１０５ｄに検出されるときにプッシュスイッチ１０６ａに検出されない位置に配置されている。
【０２２９】
したがって、制御装置は、受光素子１０５ｄの出力がＨｉになった時にプッシュスイッチ１０６ａの出力がＨｉであるので、通常１２ｃｍディスク１０７か、１２ｃｍアダプタ１１０の何れかがディスク挿排部１００の内部に挿入されたと識別し、ローラ部材１０３に１２ｃｍアダプタ１１０のオートローディングを継続させる。
【０２３０】
また、上述したように、受光素子１０５ｄ及び受光素子１０５ｃは、図１４及び図１５に示すように、通常１２ｃｍディスク１０７及び１２ｃｍアダプタ１１０が、ディスク挿排部１００に挿入されて、最初に受光素子１０５ｄに検出されるときに受光素子１０５ｃに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すようにディスク挿排部１００の幅方向の他端部１００ｃを通過する通常８ｃｍディスク１０９が、ディスク挿排部１００に挿入されて、最初に受光素子１０５ｄに検出されるときに受光素子１０５ｃに検出されない位置に配置されている。
【０２３１】
したがって、制御装置は、受光素子１０５ｄの出力がＨｉになった時に受光素子１０５ｃの出力がＨｉであるということから、ディスク挿排部１００の幅方向の他端部１００ｃを通過する通常８ｃｍディスク１０９以外のディスクがディスク挿排部１００の内部に挿入されたということを判断することもできる。
【０２３２】
１２ｃｍアダプタ１１０がローラ部材１０３によって更に挿入されると、図２２に示すように、プッシュスイッチ１０６ｂの出力は、１２ｃｍアダプタ１１０が図６に示す位置まで搬送される間にＨｉになる。
【０２３３】
そして、プッシュスイッチ１０６ｂの出力がＨｉになった時には１２ｃｍアダプタ１１０の中心部に形成された中空穴１１０ａを介して発光素子から受光素子１０５ｂへの光が通過するため、受光素子１０５ｂの出力はＬｏとなる。
【０２３４】
ここで、上述したように、受光素子１０５ｂは、図４に示すように小データエリア１２ｃｍディスク１０８がプッシュスイッチ１０６ｂに検出されるときに、小データエリア１２ｃｍディスク１０８を検出し、図５に示すようにディスク挿排部１００の幅方向の一端部１００ａを通過する通常８ｃｍディスク１０９がプッシュスイッチ１０６ｂに検出されるときに、通常８ｃｍディスク１０９を検出せず、図６に示すように１２ｃｍアダプタ１１０がプッシュスイッチ１０６ｂに検出されるときに、１２ｃｍアダプタ１１０を検出しない位置に配置されている。
【０２３５】
したがって、制御装置は、受光素子１０５ｄの出力がＨｉになった時にプッシュスイッチ１０６ａの出力がＨｉであって、プッシュスイッチ１０６ｂの出力がＨｉになった時に受光素子１０５ｂの出力がＬｏであるので、１２ｃｍアダプタ１１０がディスク挿排部１００の内部に挿入されたと識別し、ローラ部材１０３に１２ｃｍアダプタ１１０のオートローディングを停止させるとともに駆動源の回転方向を逆転することで１２ｃｍアダプタ１１０のオートイジェクトを開始させる。
【０２３６】
１２ｃｍアダプタ１１０のオートイジェクトが開始されて、１２ｃｍアダプタ１１０が図１２に示す位置まで搬送されると、上述したように受光素子１０５ｃは、１２ｃｍアダプタ１１０がディスク挿排部１００から排出されるとき、１２ｃｍアダプタ１１０を検出した後、ローラ部材１０３に接触中の１２ｃｍアダプタ１１０を検出しなくなる位置に配置されているので、受光素子１０５ｃの出力がＬｏになる。
【０２３７】
したがって、制御装置は、受光素子１０５ｃの出力がＬｏになったことを受けて、動力源の動作を停止し、１２ｃｍアダプタ１１０のオートイジェクトを完了する。
【０２３８】
図１６に示すように、１２ｃｍアダプタ１１０は、受光素子１０５ｃの出力がＬｏになったとき、ローラ部材１０３との接触が外れていないので、ディスク記録再生装置から落下することが防止される。
（７）透明１２ｃｍディスク１１１に対する動作
【０２３９】
次に、透明１２ｃｍディスク１１１に対するディスク記録再生装置の動作について説明する。
【０２４０】
透明１２ｃｍディスク１１１が利用者によってディスク記録再生装置のディスク挿排部１００の内部に挿入されると、発光素子から受光素子への光は透明１２ｃｍディスク１１１を通過するため、透明１２ｃｍディスク１１１とローラ部材１０３とが接触する前の各受光素子の出力はＬｏである。
【０２４１】
透明１２ｃｍディスク１１１とローラ部材１０３とが接触しても、透明１２ｃｍディスク１１１の外周と軸部１０４ａが接触することでレバー部材１０４が矢印２０４（図１参照）の示す方向への変位を開始するまでは、動力源の動作は開始されず、オートローディングは開始されない。
【０２４２】
ディスク記録再生装置は、透明１２ｃｍディスク１１１が利用者によってディスク挿排部１００の内部に挿入されて、図１６に示すように、透明１２ｃｍディスク１１１の外周とローラ部材１０３よりディスクの挿入方向上流側に配置されているレバー部材１０４の軸部１０４ａとが接触することでレバー部材１０４が矢印２０４（図１参照）の示す方向への変位を開始し、図２３に示すようにプッシュスイッチ１０６ａの出力がＨｉになると、動力源の動作を開始させて、ローラ部材１０３の回転を開始する。
【０２４３】
ローラ部材１０３の回転が開始されると、透明１２ｃｍディスク１１１とローラ部材１０３とは既に接触しているので、透明１２ｃｍディスク１１１のオートローディングが開始されて、透明１２ｃｍディスク１１１は図７に示す位置まで搬送され、図２３に示すようにプッシュスイッチ１０６ｂの出力はＨｉになる。
【０２４４】
ここで、上述したように、受光素子１０５ａ、１０５ｂ、１０５ｃ、１０５ｄは、図３から図６までに示すように、プッシュスイッチ１０６ｂに検出されるときの通常１２ｃｍディスク１０７、小データエリア１２ｃｍディスク１０８、通常８ｃｍディスク１０９、及び、１２ｃｍアダプタ１１０を、受光素子１０５ａ、１０５ｂ、１０５ｃ、１０５ｄの何れかが検出する位置に配置されている。
【０２４５】
したがって、制御装置は、プッシュスイッチ１０６ａの出力がＨｉになった時に全ての受光素子の出力がＬｏであるので、透明１２ｃｍディスク１１１がディスク挿排部１００の内部に挿入されたと識別し、ローラ部材１０３に透明１２ｃｍディスク１１１のオートローディングを停止させるとともに駆動源の回転方向を逆転することで透明１２ｃｍディスク１１１のオートイジェクトを開始させる。
【０２４６】
透明１２ｃｍディスク１１１のオートイジェクトが開始されて、透明１２ｃｍディスク１１１が図１６に示す位置まで搬送されると、上述したようにレバー部材１０４の軸部１０４ａは、透明１２ｃｍディスク１１１がディスク挿排部１００から排出されるとき、プッシュスイッチ１０６ａが透明１２ｃｍディスク１１１を検出した後、ローラ部材１０３に接触中の透明１２ｃｍディスク１１１を検出しなくなる位置に配置されているので、プッシュスイッチ１０６ａの出力がＬｏになる。
【０２４７】
したがって、制御装置は、プッシュスイッチ１０６ａの出力がＬｏになったことを受けて、動力源の動作を停止し、透明１２ｃｍディスク１１１のオートイジェクトを完了する。
【０２４８】
図１６に示すように、透明１２ｃｍディスク１１１は、プッシュスイッチ１０６ａの出力がＬｏになったとき、ローラ部材１０３との接触が外れていないので、ディスク記録再生装置から落下することが防止される。
【０２４９】
なお、図１及び図２を使用して上述したように、ディスク記録再生装置は、ディスク挿排部１００の内部に突起１０２ａ、１０２ｂが設けられており、基台１０１に突起１０１ａが設けられているので、一回の挿入動作で内部に複数枚のディスクが挿入されることを防止することができ、故障することを防止することができる。
【０２５０】
ここで、ディスク記録再生装置は、制御装置が、ローラ部材１０３によるディスクの挿入開始から一定時間が経過した後、ローラ部材１０３にディスクを排出させる構成であれば、一回の挿入動作で内部に複数枚のディスクが挿入された場合、ディスクを外部に排出することもできる。
【０２５１】
また、制御装置は、ローラ部材１０３にディスクを挿入させているとき、プッシュスイッチ１０６ｂがディスクを複数回検出する場合、ローラ部材１０３によるディスクの挿入動作を停止させる。
【０２５２】
より詳細に説明すると、ディスク記録再生装置が、図２４に示すように、通常１２ｃｍディスク１０７や、中心部に通常８ｃｍディスク１０９を保持した１２ｃｍアダプタ１１０や、小データエリア１２ｃｍディスク１０８や、１２ｃｍアダプタ１１０や、透明１２ｃｍディスク１１１などの外径が１２ｃｍのディスク１１２、１１３をローラ部材１０３によって内部に挿入すると、プッシュスイッチ１０６ｂの出力は、図２５（ａ）に示すように、プッシュスイッチ１０６ａの出力がＨｉである間に、ディスク１１２によってＬｏからＨｉに変化し、ＨｉからＬｏに変化した後、再び、ディスク１１３によってＬｏからＨｉに変化し、ＨｉからＬｏに変化する。
【０２５３】
一方、ディスク記録再生装置が、外径が１２ｃｍのディスクを１枚だけローラ部材１０３によって内部に挿入する場合、図２４に示すような状態になることがないので、プッシュスイッチ１０６ｂの出力は、図２５（ｂ）に示すように、プッシュスイッチ１０６ａの出力がＨｉである間に、一度だけＬｏからＨｉに変化し、ＨｉからＬｏに変化する。
【０２５４】
したがって、ディスク記録再生装置は、プッシュスイッチ１０６ｂの出力が、図２５（ａ）に示すように、プッシュスイッチ１０６ａの出力がＨｉである間に、ＬｏからＨｉに変化し、ＨｉからＬｏに変化することを繰り返す場合、内部に複数のディスクが挿入されたと判断することができる。
【０２５５】
そして、ディスク記録再生装置は、一回の挿入動作で内部に複数のディスクが挿入された場合、ディスクの搬送を停止することによって、一回の挿入動作で内部に複数枚のディスクが挿入されることを防止することができ、故障することを防止することができる。
【０２５６】
なお、本発明によれば、ディスク記録再生装置は、制御装置が、ローラ部材１０３にディスクを挿入させているとき、プッシュスイッチ１０６ｂがディスクを複数回検出する場合、ローラ部材１０３にディスクを排出させる構成であっても良く、一回の挿入動作で内部に複数枚のディスクが挿入された場合、ディスクを外部に排出するので、一回の挿入動作で内部に複数枚のディスクが挿入されることを防止することができ、故障することを防止することができる。
【０２５７】
以上説明したように、本実施の形態に係るディスク記録再生装置は、小データエリア１２ｃｍディスク１０８を通常１２ｃｍディスク１０７と同様に識別し、挿入し、記録再生することができる。
【０２５８】
なお、以上の説明において、ディスク記録再生装置は、通常１２ｃｍディスク１０７と、小データエリア１２ｃｍディスク１０８と、中心部に通常８ｃｍディスク１０９を保持した１２ｃｍアダプタ１１０とをローディング完了の位置まで搬送し、１２ｃｍアダプタ１１０と、８ｃｍディスク１０９と、透明１２ｃｍディスク１１１とを強制的に排出する構成であったが、本発明によれば、通常１２ｃｍディスク１０７と、小データエリア１２ｃｍディスク１０８と、中心部に通常８ｃｍディスク１０９を保持した１２ｃｍアダプタ１１０と、８ｃｍディスク１０９とをローディング完了の位置まで搬送し、１２ｃｍアダプタ１１０と、透明１２ｃｍディスク１１１とを強制的に排出する構成についても同様に実施可能である。
【０２５９】
また、通常１２ｃｍディスク１０７と、小データエリア１２ｃｍディスク１０８と、中心部に通常８ｃｍディスク１０９を保持した１２ｃｍアダプタ１１０と、ディスク挿排部１００の幅方向の一端部１００ａ、中央部１００ｂ及び他端部１００ｃを通過する通常８ｃｍディスク１０９のうち少なくとも１つとをローディング完了の位置まで搬送し、ディスク挿排部１００の幅方向の一端部１００ａ、中央部１００ｂ及び他端部１００ｃを通過する通常８ｃｍディスク１０９のうち残りと、１２ｃｍアダプタ１１０と、透明１２ｃｍディスク１１１とを強制的に排出する構成であっても良い。
【０２６０】
また、本実施の形態に係るディスク記録再生装置においては、プッシュスイッチ１０６ｂがディスクを検出するときに受光素子１０５ｂがディスクを検出する場合、ディスク挿排部１００の内部に挿入されたディスクが、通常１２ｃｍディスク１０７、小データエリア１２ｃｍディスク１０８、及び、中心部に通常８ｃｍディスク１０９を保持した１２ｃｍアダプタ１１０の何れかであるので、ディスクをローディング完了の位置まで搬送しており、本発明によれば、レバー部材１０４及びプッシュスイッチ１０６ｂがディスクを検出するときに受光素子１０５ｂがディスクを検出しない場合、ディスクをオートイジェクトする構成であっても良い。
【０２６１】
なお、ディスク記録再生装置は、レバー部材１０４の軸部１０４ａ及び受光素子１０５ｂが、ローラ部材１０３よりディスクの挿入方向上流側に配置されていたので、ディスクがローラ部材１０３より挿入方向下流側に半分以上挿入される前に、ディスクを内部に挿入するか、或いは、外部に排出するかを判断して、ローラ部材１０３によって挿入或いは排出し始めることができ、操作フィーリングを向上することができる。
【０２６２】
また、本実施の形態において、受光素子１０５ｂは、図５に示すようにディスク挿排部１００の幅方向の一端部１００ａを通過する通常８ｃｍディスク１０９がプッシュスイッチ１０６ｂに検出されるときに、通常８ｃｍディスク１０９を検出しない位置に配置されていたが、本発明によれば、例えばディスク記録再生装置がディスク挿排部１００の幅方向の一端部１００ａを通過する通常８ｃｍディスク１０９をローディング完了の位置まで搬送する場合、ディスク挿排部１００の幅方向の一端部１００ａを通過する通常８ｃｍディスク１０９がプッシュスイッチ１０６ｂに検出されるときに、通常８ｃｍディスク１０９を検出する位置に配置されていても良い。
【０２６３】
受光素子１０５ｂが、ディスク挿排部１００の幅方向の一端部１００ａを通過する通常８ｃｍディスク１０９がプッシュスイッチ１０６ｂに検出されるときに、通常８ｃｍディスク１０９を検出する位置に配置されている場合、ディスク記録再生装置は、プッシュスイッチ１０６ｂがディスクを検出するときに受光素子１０５ｂがディスクを検出するということによって、通常１２ｃｍディスク１０７、小データエリア１２ｃｍディスク１０８、ディスク挿排部１００の幅方向の一端部１００ａを通過する通常８ｃｍディスク１０９、及び、中心部に通常８ｃｍディスク１０９を保持した１２ｃｍアダプタ１１０を識別し、ローディング完了の位置まで挿入することができる。
【０２６４】
また、本実施の形態において、受光素子１０５ｂ及び受光素子１０５ｃは、図１０から図１２までに示すように通常１２ｃｍディスク１０７、小データエリア１２ｃｍディスク１０８、及び、１２ｃｍアダプタ１１０が、ディスク挿排部１００に挿入されて、最初に受光素子１０５ｃに検出されるときに受光素子１０５ｂに検出され、図１３に示すようにディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されていたので、制御装置はディスク挿排部１００の幅方向の一端部１００ａを通過する通常８ｃｍディスク１０９を識別することができた。
【０２６５】
しかしながら、本発明によれば、図示を省略するが、受光素子１０５ｂ及び受光素子１０５ｃは、通常１２ｃｍディスク１０７、及び、１２ｃｍアダプタ１１０が、ディスク挿排部１００に挿入されて、最初に受光素子１０５ｃに検出されるときに受光素子１０５ｂに検出され、小データエリア１２ｃｍディスク１０８が、受光素子１０５ｃに検出されず、ディスク挿排部１００の幅方向の一端部１００ａを通過する通常８ｃｍディスク１０９が、ディスク挿排部１００に挿入されて、最初に受光素子１０５ｃに検出されるときに受光素子１０５ｂに検出されない位置に配置されていても、制御装置はディスク挿排部１００の幅方向の一端部１００ａを通過する通常８ｃｍディスク１０９を識別することができる。
【０２６６】
また、本実施の形態において、受光素子１０５ｄ及び受光素子１０５ｃは、図１４及び図１５に示すように、通常１２ｃｍディスク１０７及び１２ｃｍアダプタ１１０が、ディスク挿排部１００に挿入されて、最初に受光素子１０５ｄに検出されるときに受光素子１０５ｃに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すようにディスク挿排部１００の幅方向の他端部１００ｃを通過する通常８ｃｍディスク１０９が、ディスク挿排部１００に挿入されて、最初に受光素子１０５ｄに検出されるときに受光素子１０５ｃに検出されない位置に配置されていたので、制御装置はディスク挿排部１００の幅方向の他端部１００ｃを通過する通常８ｃｍディスク１０９を識別することができた。
【０２６７】
しかしながら、本発明によれば、図示を省略するが、受光素子１０５ｄ及び受光素子１０５ｃは、通常１２ｃｍディスク１０７及び１２ｃｍアダプタ１１０が、ディスク挿排部１００に挿入されて、最初に受光素子１０５ｄに検出されるときに受光素子１０５ｃに検出され、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９のうち少なくとも１つが、ディスク挿排部１００に挿入されて、最初に受光素子１０５ｄに検出されるときに受光素子１０５ｃに検出され、残りが受光素子１０５ｄに検出されず、ディスク挿排部１００の幅方向の他端部１００ｃを通過する通常８ｃｍディスク１０９が、ディスク挿排部１００に挿入されて、最初に受光素子１０５ｄに検出されるときに受光素子１０５ｃに検出されない位置に配置されていても、制御装置はディスク挿排部１００の幅方向の他端部１００ｃを通過する通常８ｃｍディスク１０９を識別することができる。
【０２６８】
また、本発明によれば、図示を省略するが、受光素子１０５ｄ及び受光素子１０５ｃは、通常１２ｃｍディスク１０７及び１２ｃｍアダプタ１１０が、ディスク挿排部１００に挿入されて、最初に受光素子１０５ｄに検出されるときに受光素子１０５ｃに検出され、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、ディスク挿排部１００に挿入されて、最初に受光素子１０５ｄに検出されるときに受光素子１０５ｃに検出され、ディスク挿排部１００の幅方向の他端部１００ｃを通過する通常８ｃｍディスク１０９が、ディスク挿排部１００に挿入されて、最初に受光素子１０５ｄに検出されるときに受光素子１０５ｃに検出されない位置に配置されていても、制御装置はディスク挿排部１００の幅方向の他端部１００ｃを通過する通常８ｃｍディスク１０９を識別することができる。
【０２６９】
また、本実施の形態において、レバー部材１０４の軸部１０４ａ及び受光素子１０５ｄは、図１４及び図１５に示すように、通常１２ｃｍディスク１０７及び１２ｃｍアダプタ１１０が、ディスク挿排部１００に挿入されて、最初に受光素子１０５ｄに検出されるときにプッシュスイッチ１０６ａに検出され、図４、図５及び図８に示すように、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、受光素子１０５ｄに検出されず、図９に示すように、ディスク挿排部１００の幅方向の他端部１００ｃを通過する通常８ｃｍディスク１０９が、ディスク挿排部１００に挿入されて、最初に受光素子１０５ｄに検出されるときにプッシュスイッチ１０６ａに検出されない位置に配置されていたので、制御装置はディスク挿排部１００の幅方向の他端部１００ｃを通過する通常８ｃｍディスク１０９を識別することができた。
【０２７０】
しかしながら、本発明によれば、図示を省略するが、レバー部材１０４の軸部１０４ａ及び受光素子１０５ｄは、通常１２ｃｍディスク１０７及び１２ｃｍアダプタ１１０が、ディスク挿排部１００に挿入されて、最初に受光素子１０５ｄに検出されるときにプッシュスイッチ１０６ａに検出され、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９のうち少なくとも１つが、ディスク挿排部１００に挿入されて、最初に受光素子１０５ｄに検出されるときにプッシュスイッチ１０６ａに検出され、残りが受光素子１０５ｄに検出されず、ディスク挿排部１００の幅方向の他端部１００ｃを通過する通常８ｃｍディスク１０９が、ディスク挿排部１００に挿入されて、最初に受光素子１０５ｄに検出されるときにプッシュスイッチ１０６ａに検出されない位置に配置されていても、制御装置はディスク挿排部１００の幅方向の他端部１００ｃを通過する通常８ｃｍディスク１０９を識別することができる。
【０２７１】
また、本発明によれば、図示を省略するが、レバー部材１０４の軸部１０４ａ及び受光素子１０５ｄは、通常１２ｃｍディスク１０７及び１２ｃｍアダプタ１１０が、ディスク挿排部１００に挿入されて、最初に受光素子１０５ｄに検出されるときにプッシュスイッチ１０６ａに検出され、小データエリア１２ｃｍディスク１０８、ディスク挿排部１００の幅方向の一端部１００ａを通過する通常８ｃｍディスク１０９、及び、ディスク挿排部１００の幅方向の中央部１００ｂを通過する通常８ｃｍディスク１０９が、ディスク挿排部１００に挿入されて、最初に受光素子１０５ｄに検出されるときにプッシュスイッチ１０６ａに検出され、ディスク挿排部１００の幅方向の他端部１００ｃを通過する通常８ｃｍディスク１０９が、ディスク挿排部１００に挿入されて、最初に受光素子１０５ｄに検出されるときにプッシュスイッチ１０６ａに検出されない位置に配置されていても、制御装置はディスク挿排部１００の幅方向の他端部１００ｃを通過する通常８ｃｍディスク１０９を識別することができる。
【０２７２】
また、本実施の形態において、受光素子１０５ｂは、ディスクに光が遮断されることによって通過するディスクを検出し、図４に示すように小データエリア１２ｃｍディスク１０８がプッシュスイッチ１０６ｂに検出されるときに、小データエリア１２ｃｍディスク１０８を検出し、図５に示すようにディスク挿排部１００の幅方向の一端部１００ａを通過する通常８ｃｍディスク１０９がプッシュスイッチ１０６ｂに検出されるときに、通常８ｃｍディスク１０９を検出せず、図６に示すように１２ｃｍアダプタ１１０がプッシュスイッチ１０６ｂに検出されるときに、１２ｃｍアダプタ１１０を検出しない位置に配置されおり、レバー部材１０４の軸部１０４ａ及び受光素子１０５ｄは、図１５に示すように、１２ｃｍアダプタ１１０が、ディスク挿排部１００に挿入されて、最初に受光素子１０５ｄに検出されるときにプッシュスイッチ１０６ａに検出され、図５に示すように、ディスク挿排部１００の幅方向の一端部１００ａを通過する通常８ｃｍディスク１０９が受光素子１０５ｄに検出されない位置に配置されていたので、制御装置は１２ｃｍアダプタ１１０を識別することができた。
【０２７３】
しかしながら、本発明によれば、受光素子１０５ｂは、ディスクに光が遮断されることによって通過するディスクを検出し、図４に示すように小データエリア１２ｃｍディスク１０８がプッシュスイッチ１０６ｂに検出されるときに、小データエリア１２ｃｍディスク１０８を検出し、図５に示すようにディスク挿排部１００の幅方向の一端部１００ａを通過する通常８ｃｍディスク１０９がプッシュスイッチ１０６ｂに検出されるときに、通常８ｃｍディスク１０９を検出せず、図６に示すように１２ｃｍアダプタ１１０がプッシュスイッチ１０６ｂに検出されるときに、１２ｃｍアダプタ１１０を検出しない位置に配置されおり、レバー部材１０４の軸部１０４ａ及び受光素子１０５ｄは、図示を省略するが、１２ｃｍアダプタ１１０が、ディスク挿排部１００に挿入されて、最初に受光素子１０５ｄに検出されるときにプッシュスイッチ１０６ａに検出され、ディスク挿排部１００の幅方向の一端部１００ａを通過する通常８ｃｍディスク１０９が、ディスク挿排部１００に挿入されて、最初に受光素子１０５ｄに検出されるときにプッシュスイッチ１０６ａに検出されない位置に配置されていても、制御装置は１２ｃｍアダプタ１１０を識別することができる。
【０２７４】
また、本実施の形態において、制御装置は、図９に示すように、受光素子１０５ｄがディスク挿排部１００に挿入されるディスクを最初に検出するときの受光素子１０５ｃの検出結果と、受光素子１０５ｄがディスク挿排部１００に挿入されるディスクを最初に検出するときのレバー部材１０４及びプッシュスイッチ１０６ａの検出結果との両方に基づいて、ディスク挿排部１００の幅方向の他端部１００ｃを通過する通常８ｃｍディスク１０９を識別し、挿排を制御していたが、本発明によれば、何れか一方のみに基づいて、ディスク挿排部１００の幅方向の他端部１００ｃを通過する通常８ｃｍディスク１０９を識別し、挿排を制御するようにしても良い。
【０２７５】
また、本実施の形態において、ディスク記録再生装置は、受光素子１０５ａが、ローラ部材１０３よりディスクの挿入方向上流側であり、ディスク挿排部１００に挿入された通常１２ｃｍディスク１０７（図３参照）、ディスク挿排部１００の幅方向の一端部１００ａを通過する通常８ｃｍディスク１０９（図５参照）、及び、ディスク挿排部１００の幅方向の中央部１００ｂを通過する通常８ｃｍディスク１０９（図８参照）がローラ部材１０３に接触する前に、通常１２ｃｍディスク１０７（図３参照）、ディスク挿排部１００の幅方向の一端部１００ａを通過する通常８ｃｍディスク１０９（図５参照）、及び、ディスク挿排部１００の幅方向の中央部１００ｂを通過する通常８ｃｍディスク１０９（図８参照）を検出する位置に配置されていたので、通常１２ｃｍディスク１０７（図３参照）、ディスク挿排部１００の幅方向の一端部１００ａを通過する通常８ｃｍディスク１０９（図５参照）、通常１２ｃｍディスク１０７と外径が略同一である１２ｃｍアダプタ１１０（図６参照）、又は、ディスク挿排部１００の幅方向の中央部１００ｂを通過する通常８ｃｍディスク１０９（図８参照）がローラ部材１０３に接触する前にローラ部材１０３を駆動して、通常１２ｃｍディスク１０７（図３参照）、ディスク挿排部１００の幅方向の一端部１００ａを通過する通常８ｃｍディスク１０９（図５参照）、１２ｃｍアダプタ１１０（図６参照）、又は、ディスク挿排部１００の幅方向の中央部１００ｂを通過する通常８ｃｍディスク１０９（図８参照）がローラ部材１０３まで手動で挿入されてローラ部材１０３に接触した時点から、通常１２ｃｍディスク１０７（図３参照）、ディスク挿排部１００の幅方向の一端部１００ａを通過する通常８ｃｍディスク１０９（図５参照）、１２ｃｍアダプタ１１０（図６参照）、又は、ディスク挿排部１００の幅方向の中央部１００ｂを通過する通常８ｃｍディスク１０９（図８参照）をローラ部材１０３によって挿入し始めることができ、操作フィーリングを向上することができる。
【０２７６】
しかしながら、本発明によれば、ディスク記録再生装置は、受光素子１０５ａが、ローラ部材１０３よりディスクの挿入方向上流側に配置されているだけでも、受光素子１０５ａに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２７７】
また、本実施の形態において、ディスク記録再生装置は、受光素子１０５ｂが、図９に示すように、ローラ部材１０３よりディスクの挿入方向上流側であり、ディスク挿排部１００に挿入され、ディスク挿排部１００の幅方向の他端部１００ｃを通過する通常８ｃｍディスク１０９がローラ部材１０３に接触する前に、通常８ｃｍディスク１０９を検出する位置に配置されていたので、ディスク挿排部１００の幅方向の他端部１００ｃを通過する通常８ｃｍディスク１０９がローラ部材１０３に接触する前にローラ部材１０３を駆動して、通常８ｃｍディスク１０９がローラ部材１０３まで手動で挿入されてローラ部材１０３に接触した時点から、通常８ｃｍディスク１０９をローラ部材１０３によって挿入し始めることができ、操作フィーリングを向上することができる。
【０２７８】
しかしながら、本発明によれば、受光素子１０５ｂが、ローラ部材１０３よりディスクの挿入方向上流側に配置されているだけでも、受光素子１０５ｂに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２７９】
また、本実施の形態において、ディスク記録再生装置は、レバー部材１０４の軸部１０４ａが、ローラ部材１０３よりディスクの挿入方向上流側に配置されており、プッシュスイッチ１０６ａに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２８０】
また、本実施の形態において、ディスク記録再生装置は、レバー部材１０４の軸部１０４ａが、ローラ部材１０３よりディスクの挿入方向上流側に配置されていたので、レバー部材１０４及びプッシュスイッチ１０６ａに検出されるディスクがローラ部材１０３に接触しながらローラ部材１０３より挿入方向下流側に半分以上手動で挿入される前に、ディスクをローラ部材１０３によって挿入し始めることができ、操作フィーリングを向上することができる。
【０２８１】
また、ディスク記録再生装置は、ローラ部材１０３が、挿入中のディスクとの接触が外れる前に制御装置によるディスクの識別が終了する位置に配置されているので、ディスクがローラ部材１０３と接触している間に、ディスクを内部に挿入するか、或いは、外部に排出するかを判断して、ローラ部材１０３によって挿入或いは排出することができ、排出すべきディスクを誤って挿入することを防止することができる。
【０２８２】
また、ディスク記録再生装置が通常８ｃｍディスク１０９をローディング完了の位置まで搬送する場合、制御装置は、ディスクの記録再生時に、識別したディスクの外径に基づいて、ディスクを回転する回転手段としてのターンテーブル（図示していない。）の回転力を制御する回転力制御手段を構成するようにすれば良い。
【０２８３】
ディスク記録再生装置が通常８ｃｍディスク１０９をローディング完了の位置まで搬送し、制御装置が回転力制御手段を構成している場合、制御装置は、直径８ｃｍのデータエリアを有し、外径が８ｃｍである通常８ｃｍディスク１０９と、同様に直径８ｃｍのデータエリアを有するが、外径が１２ｃｍである小データエリア１２ｃｍディスク１０８とを識別することができるので、通常８ｃｍディスク１０９と、小データエリア１２ｃｍディスク１０８とにディスクの重量に応じて異なる回転力を与えて、通常８ｃｍディスク１０９と、小データエリア１２ｃｍディスク１０８とを等しい所定の回転数で回転させることができる。
【０２８４】
なお、本実施の形態においては、第１のディスク及び第２のディスクをそれぞれ通常１２ｃｍディスク及び通常８ｃｍディスクとしていたが、本発明によれば、第１のディスク及び第２のディスクの外径は１２ｃｍや８ｃｍ以外であっても良い。
【０２８５】
また、本実施の形態においては、ディスク通過時接触検出手段及び端部通過時接触検出手段を、レバー部材１０４及びプッシュスイッチ１０６ａ、１０６ｂで構成した例で説明したが、本発明によれば、接触によってディスク挿排部１００を通過するディスクを検出することができる構成であれば、ディスク通過時接触検出手段及び端部通過時接触検出手段は、レバー部材１０４を介さずに直接プッシュスイッチで検出するものや、フォトインタラプタを利用したものや、フォトＬＥＤ及びフォトトランジスタを利用したものなど、レバー部材１０４及びプッシュスイッチ１０６ａ、１０６ｂ以外を利用した構成であっても良い。
【０２８６】
【発明の効果】
以上説明したように、本発明によれば、ディスク挿排部に挿入されたディスクが第１のディスク、小データエリアディスク、ディスク挿排部の幅方向の一端部を通過する第２のディスク、中空ディスク及び透明ディスクの何れかである場合、ディスク挿排部に挿入されたディスクが第１のディスク又は小データエリアディスクであるか、或いは、ディスク挿排部の幅方向の一端部を通過する第２のディスク、中空ディスク又は透明ディスクであるかを識別することができ、ディスク挿排部に挿入された、中空ディスク又は透明ディスク、或いは、ディスク挿排部の幅方向の一端部を通過する第２のディスクを外部に排出することができるディスク挿排装置及びディスク記録再生装置とを提供することができる。
【図面の簡単な説明】
【図１】本発明の一実施の形態に係るディスク記録再生装置の要部の上面図
【図２】（ａ）図１に示すディスク記録再生装置の要部の正面図
（ｂ）図２（ａ）とは異なる状態での図１に示すディスク記録再生装置の要部の正面図
【図３】通常１２ｃｍディスクがディスク挿排部を通過しているときの図１に示すディスク記録再生装置の要部の上面図
【図４】小データエリア１２ｃｍディスクがディスク挿排部を通過しているときの図１に示すディスク記録再生装置の要部の上面図
【図５】通常８ｃｍディスクがディスク挿排部の幅方向の一端部を通過しているときの図１に示すディスク記録再生装置の要部の上面図
【図６】１２ｃｍアダプタがディスク挿排部を通過しているときの図１に示すディスク記録再生装置の要部の上面図
【図７】透明１２ｃｍディスクがディスク挿排部を通過しているときの図１に示すディスク記録再生装置の要部の上面図
【図８】通常８ｃｍディスクがディスク挿排部の幅方向の中央部を通過しているときの図１に示すディスク記録再生装置の要部の上面図
【図９】通常８ｃｍディスクがディスク挿排部の幅方向の他端部を通過しているときの図１に示すディスク記録再生装置の要部の上面図
【図１０】通常１２ｃｍディスクが図３に示す状態とは異なる状態でディスク挿排部を通過しているときの図１に示すディスク記録再生装置の要部の上面図
【図１１】小データエリア１２ｃｍディスクが図４に示す状態とは異なる状態でディスク挿排部を通過しているときの図１に示すディスク記録再生装置の要部の上面図
【図１２】１２ｃｍアダプタが図６に示す状態とは異なる状態でディスク挿排部を通過しているときの図１に示すディスク記録再生装置の要部の上面図
【図１３】通常８ｃｍディスクが図５に示す状態とは異なる状態でディスク挿排部の幅方向の一端部を通過しているときの図１に示すディスク記録再生装置の要部の上面図
【図１４】通常１２ｃｍディスクが図３及び図１０に示す状態とは異なる状態でディスク挿排部を通過しているときの図１に示すディスク記録再生装置の要部の上面図
【図１５】１２ｃｍアダプタが図６及び図１２に示す状態とは異なる状態でディスク挿排部を通過しているときの図１に示すディスク記録再生装置の要部の上面図
【図１６】透明１２ｃｍディスクが図７に示す状態とは異なる状態でディスク挿排部を通過しているときの図１に示すディスク記録再生装置の要部の上面図
【図１７】通常１２ｃｍディスクがディスク挿排部を通過するときの図１に示すディスク記録再生装置の各検出手段の出力のタイミングチャート
【図１８】小データエリア１２ｃｍディスクがディスク挿排部を通過するときの図１に示すディスク記録再生装置の各検出手段の出力のタイミングチャート
【図１９】通常８ｃｍディスクがディスク挿排部の幅方向の一端部を通過するときの図１に示すディスク記録再生装置の各検出手段の出力のタイミングチャート
【図２０】通常８ｃｍディスクがディスク挿排部の幅方向の中央部を通過するときの図１に示すディスク記録再生装置の各検出手段の出力のタイミングチャート
【図２１】通常８ｃｍディスクがディスク挿排部の幅方向の他端部を通過するときの図１に示すディスク記録再生装置の各検出手段の出力のタイミングチャート
【図２２】１２ｃｍアダプタがディスク挿排部を通過するときの図１に示すディスク記録再生装置の各検出手段の出力のタイミングチャート
【図２３】透明１２ｃｍディスクがディスク挿排部を通過するときの図１に示すディスク記録再生装置の各検出手段の出力のタイミングチャート
【図２４】２枚の１２ｃｍディスクがディスク挿排部を通過しているときの図１に示すディスク記録再生装置の要部の上面図
【図２５】（ａ）２枚の１２ｃｍディスクがディスク挿排部を通過するときの図１に示すディスク記録再生装置の各検出手段の出力のタイミングチャート
（ｂ）１枚の１２ｃｍディスクがディスク挿排部を通過するときの図１に示すディスク記録再生装置の各検出手段の出力のタイミングチャート
【図２６】１２ｃｍディスクが挿入される前の従来のディスク記録再生装置の要部の上面図
【図２７】図２６に示すディスク記録再生装置の要部の正面図
【図２８】１２ｃｍディスクがディスク挿入口を通過しているときの図２６に示すディスク記録再生装置の要部の上面図
【図２９】１２ｃｍアダプタの上面図
【符号の説明】
１００      ディスク挿排部
１００ａ      一端部
１００ｂ      中央部
１００ｃ      他端部
１０１ａ      突起（制限手段）
１０２ａ、１０２ｂ      突起（規制部）
１０３      ローラ部材（搬送手段）
１０４      レバー部材（ディスク通過時接触検出手段、端部通過時接触検出手段）
１０５ａ      受光素子（非検出ディスク光検出手段、光検出手段）
１０５ｂ      受光素子（接触検出時光検出手段、光検出手段）
１０５ｃ      受光素子（通過ディスク光検出手段、光検出手段）
１０５ｄ      受光素子（ディスク通過時光検出手段、光検出手段）
１０６ａ      プッシュスイッチ（ディスク通過時接触検出手段）
１０６ｂ      プッシュスイッチ（端部通過時接触検出手段）
１０７      通常１２ｃｍディスク（第１のディスク、ディスク）
１０８      小データエリア１２ｃｍディスク（小データエリアディスク、ディスク）
１０８ａ      データエリア
１０９      通常８ｃｍディスク（第２のディスク、ディスク）
１１０      １２ｃｍアダプタ（中空ディスク、ディスク）
１１０ａ      中空穴
１１１      透明１２ｃｍディスク（透明ディスク、ディスク）
１１２、１１３      １２ｃｍディスク（ディスク）
【図１】
0004128372.tif 000002
【図２】
0004128372.tif 000003
【図３】
0004128372.tif 000004
【図４】
0004128372.tif 000005
【図５】
0004128372.tif 000006
【図６】
0004128372.tif 000007
【図７】
0004128372.tif 000008
【図８】
0004128372.tif 000009
【図９】
0004128372.tif 000010
【図１０】
0004128372.tif 000011
【図１１】
0004128372.tif 000012
【図１２】
0004128372.tif 000013
【図１３】
0004128372.tif 000014
【図１４】
0004128372.tif 000015
【図１５】
0004128372.tif 000016
【図１６】
0004128372.tif 000017
【図１７】
0004128372.tif 000018
【図１８】
0004128372.tif 000019
【図１９】
0004128372.tif 000020
【図２０】
0004128372.tif 000021
【図２１】
0004128372.tif 000022
【図２２】
0004128372.tif 000023
【図２３】
0004128372.tif 000024
【図２４】
0004128372.tif 000025
【図２５】
0004128372.tif 000026
【図２６】
0004128372.tif 000027
【図２７】
0004128372.tif 000028
【図２８】
0004128372.tif 000029
【図２９】
0004128372.tif 000030